(57)【要約】【課題】撮像画像データを用いて鑑賞用に出力媒体上に形成される鑑賞画像から撮像装置毎の品質のばらつきを無くして安定性を高めて品質向上を図る画像処理方法と、当該画像処理方法を用いた画像処理装置、当該画像処理方法を用いて出力媒体上に鑑賞画像を形成する画像記録装置、前記画像処理方法をコンピュータに実行させるためのプログラムおよび前記プログラムを記録したコンピュータ読取り可能な記録媒体を実現することである。【解決手段】画像処理装置１１７は、露出制御処理／グレーバランス調整処理、γ補正処理および非線形補正処理等（ステップＳ５〜Ｓ８）により鑑賞画像参照データを作成する前に、撮像装置毎に周波数特性や階調特性の補正を行う（ステップＳ３、Ｓ４）。【選択図】　　　　　図１１
2004096505.tif 000002
【特許請求の範囲】
【請求項１】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換する前処理を行うことを特徴とする画像処理方法。
【請求項２】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換する前処理を行うことを特徴とする画像処理方法。
【請求項３】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行うことを特徴とする画像処理方法。
【請求項４】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行うことを特徴とする画像処理方法。
【請求項５】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行うことを特徴とする画像処理方法。
【請求項６】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行うことを特徴とする画像処理方法。
【請求項７】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成することを特徴とする画像処理方法。
【請求項８】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成することを特徴とする画像処理方法。
【請求項９】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする画像処理方法。
【請求項１０】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする画像処理方法。
【請求項１１】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする画像処理方法。
【請求項１２】
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする画像処理方法。
【請求項１３】
前記機種周波数特性情報を前記撮像画像データから取得することを特徴とする請求項２、４、６、８、１０、１２のうち何れか一項に記載の画像処理方法。
【請求項１４】
前記機種階調特性情報を前記撮像画像データから取得することを特徴とする請求項５、６、１１、１２のうち何れか一項に記載の画像処理方法。
【請求項１５】
撮像装置毎の周波数帯域差を補正することにより前記撮像画像データの周波数特性を前記シーン参照周波数特性に変換することを特徴とする請求項１〜１４のうち何れか一項に記載の画像処理方法。
【請求項１６】
前記撮像画像データの周波数特性を前記シーン参照周波数特性に変換する場合、該周波数特性を予め設定された標準周波数特性に変換することを特徴とする請求項１〜１４のうち何れか一項に記載の画像処理方法。
【請求項１７】
前記標準周波数特性は、周波数帯域に対する分解能が直線的に変化する周波数特性であることを特徴とする請求項１６に記載の画像処理方法。
【請求項１８】
前記標準周波数特性は、周波数帯域に対する分解能が人体の視覚特性に基づいて変化する周波数特性であることを特徴とする請求項１６に記載の画像処理方法。
【請求項１９】
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すことを特徴とする請求項１〜１８のうち何れか一項に記載の画像処理方法。
【請求項２０】
前記階調補正処理を行う際、撮像画像データを非線形に補正することを特徴とする請求項１９に記載の画像処理方法。
【請求項２１】
撮像装置から出力された撮像画像データを鑑賞用に最適化処理して鑑賞画像参照データを作成する画像処理装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記最適化処理を行う前に、前記周波数特性補正手段により撮像画像データの周波数特性を補正させる前処理を行うよう制御する制御手段と、
を備えたことを特徴とする画像処理装置。
【請求項２２】
撮像装置から出力された撮像画像データを鑑賞用に最適化処理して鑑賞画像参照データを作成する画像処理装置において、
複数種類の撮像装置の機種周波数特性および機種階調特性情報を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記撮像画像データの階調特性から前記取得された機種階調特性を除去することにより前記撮像画像データの階調特性をシーン参照階調特性に変換し、撮像画像データの階調特性を補正する階調特性補正手段と、
前記最適化処理を行う前に、前記周波数特性補正手段により撮像画像データの周波数特性を補正させると共に前記階調特性補正手段により該撮像画像データの階調特性を補正させる前処理を行うよう制御する制御手段と、
を備えたことを特徴とする画像処理装置。
【請求項２３】
撮像装置から出力された撮像画像データを鑑賞用に最適化処理して鑑賞画像参照データを作成する画像処理装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする画像処理装置。
【請求項２４】
撮像装置から出力された撮像画像データを鑑賞用に最適化処理して鑑賞画像参照データを作成する画像処理装置において、
複数種類の撮像装置の機種周波数特性および機種階調特性を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換すると共に該撮像画像データの階調特性から前記取得された機種階調特性を除去することにより該撮像画像データの階調特性をシーン参照階調特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする画像処理装置。
【請求項２５】
前記取得手段は、前記機種階調特性情報を撮像画像データから取得することを特徴とする請求項２２または２４に記載の画像処理装置。
【請求項２６】
前記取得手段は、前記機種周波数特性情報を撮像画像データから取得することを特徴とする請求項２１〜２５のうち何れか一項に記載の画像処理装置。
【請求項２７】
前記シーン参照周波数特性への変換処理が前記撮像装置毎の周波数帯域の差を補正する処理であることを特徴とする請求項２１〜２６のうち何れか一項に記載の画像処理装置。
【請求項２８】
前記シーン参照周波数特性への変換処理が、予め設定された標準周波数特性に変換する処理であることを特徴とする請求項２１〜２６のうち何れか一項に記載の画像処理装置。
【請求項２９】
前記標準周波数特性は、周波数帯域に対する分解能が直線的に変化する周波数特性であることを特徴とする請求項２８に記載の画像処理装置。
【請求項３０】
前記標準周波数特性は、周波数帯域に対する分解能が人体の視覚特性に基づいて変化する周波数特性であることを特徴とする請求項２８に記載の画像処理装置。
【請求項３１】
前記制御手段は、前記最適化処理を行う際、前記撮像画像データに対して明るさと色の偏りを補正した後に階調を補正することによって前記鑑賞画像参照データを生成することを特徴とする請求項２１、２２、２５〜３０のうち何れか一項に記載の画像処理装置。
【請求項３２】
前記最適化条件算出手段は、前記撮像画像データに対して明るさと色の偏りを補正した後に階調を補正して前記鑑賞画像参照データを生成するための条件データを算出することを特徴とする請求項２３〜３０のうち何れか一項に記載の画像処理装置。
【請求項３３】
前記階調を補正する処理は、非線形補正処理を含むことを特徴とする請求項３１または３２に記載の画像処理装置。
【請求項３４】
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記最適化処理を行う前に、前記周波数特性補正手段により撮像画像データの周波数特性を補正させる前処理を行うよう制御する制御手段と、
を備えたことを特徴とする画像記録装置。
【請求項３５】
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性および機種階調特性情報を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記撮像画像データの階調特性から前記取得された機種階調特性を除去することにより前記撮像画像データの階調特性をシーン参照階調特性に変換し、撮像画像データの階調特性を補正する階調特性補正手段と、
前記最適化処理を行う前に、前記周波数特性補正手段により撮像画像データの周波数特性を補正させると共に前記階調特性補正手段により該撮像画像データの階調特性を補正させる前処理を行うよう制御する制御手段と、
を備えたことを特徴とする画像記録装置。
【請求項３６】
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする画像記録装置。
【請求項３７】
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性および機種階調特性を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換すると共に該撮像画像データの階調特性から前記取得された機種階調特性を除去することにより該撮像画像データの階調特性をシーン参照階調特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする画像記録装置。
【請求項３８】
前記取得手段は、前記機種階調特性情報を撮像画像データから取得することを特徴とする請求項３５または３７に記載の画像記録装置。
【請求項３９】
前記取得手段は、前記機種周波数特性情報を撮像画像データから取得することを特徴とする請求項３４〜３８のうち何れか一項に記載の画像記録装置。
【請求項４０】
前記シーン参照周波数特性への変換処理が前記撮像装置毎の周波数帯域の差を補正する処理であることを特徴とする請求項３４〜３９のうち何れか一項に記載の画像記録装置。
【請求項４１】
前記シーン参照周波数特性への変換処理が、予め設定された標準周波数特性に変換する処理であることを特徴とする請求項３４〜３９のうち何れか一項に記載の画像記録装置。
【請求項４２】
前記標準周波数特性は、周波数帯域に対する分解能が直線的に変化する周波数特性であることを特徴とする請求項４１に記載の画像記録装置。
【請求項４３】
前記標準周波数特性は、周波数帯域に対する分解能が人体の視覚特性に基づいて変化する周波数特性であることを特徴とする請求項４１に記載の画像記録装置。
【請求項４４】
前記制御手段は、前記最適化処理を行う際、前記撮像画像データに対して明るさと色の偏りを補正した後に階調を補正することによって前記鑑賞画像参照データを生成することを特徴とする請求項３４、３５、３８〜４３のうち何れか一項に記載の画像記録装置。
【請求項４５】
前記最適化条件算出手段は、前記撮像画像データに対して明るさと色の偏りを補正した後に階調を補正して前記鑑賞画像参照データを生成するための条件データを算出することを特徴とする請求項３６〜４３のうち何れか一項に記載の画像記録装置。
【請求項４６】
前記階調を補正する処理は、非線形補正処理を含むことを特徴とする請求項４４まはた４５に記載の画像記録装置。
【請求項４７】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行う機能を実現させるためのプログラムコードを記録したコンピュータ読み取り可能な記録媒体。
【請求項４８】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行う機能を実現させるためのプログラムコードを記録したコンピュータ読み取り可能な記録媒体。
【請求項４９】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させるためのプログラムコードを記録したコンピュータ読み取り可能な記録媒体。
【請求項５０】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させるためのプログラムコードを記録したコンピュータ読み取り可能な記録媒体。
【請求項５１】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させるためのプログラムコードを記録したコンピュータ読み取り可能な記録媒体。
【請求項５２】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させるためのプログラムコードを記録したコンピュータ読み取り可能な記録媒体。
【請求項５３】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５４】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５５】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５６】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５７】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５８】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラムコードを記録したコンピュータ読み取り可能な記録媒体。
【請求項５９】
前記機種周波数特性情報を前記撮像画像データから取得することを特徴とする請求項４８、５０、５２、５４、５６、５８のうち何れか一項に記載の記録媒体。
【請求項６０】
前記機種階調特性情報を前記撮像画像データから取得することを特徴とする請求項５１、５２、５７、５８のうち何れか一項に記載の記録媒体。
【請求項６１】
撮像装置毎の周波数帯域差を補正することにより前記撮像画像データの周波数特性を前記シーン参照周波数特性に変換することを特徴とする請求項４７〜６０のうち何れか一項に記載の記録媒体。
【請求項６２】
前記撮像画像データの周波数特性を前記シーン参照周波数特性に変換する場合、該周波数特性を予め設定された標準周波数特性に変換することを特徴とする請求項４７〜６０のうち何れか一項に記載の記録媒体。
【請求項６３】
前記標準周波数特性は、周波数帯域に対する分解能が直線的に変化する周波数特性であることを特徴とする請求項６２に記載の記録媒体。
【請求項６４】
前記標準周波数特性は、周波数帯域に対する分解能が人体の視覚特性に基づいて変化する周波数特性であることを特徴とする請求項６２に記載の記録媒体。
【請求項６５】
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すことを特徴とする請求項４７〜６４のうち何れか一項に記載の記録媒体。
【請求項６６】
前記階調補正処理を行う際、撮像画像データを非線形に補正することを特徴とする請求項６５に記載の記録媒体。
【請求項６７】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行う機能を実現させるためのプログラム。
【請求項６８】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行う機能を実現させるためのプログラム。
【請求項６９】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させるためのプログラム。
【請求項７０】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させるためのプログラム。
【請求項７１】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させるためのプログラム。
【請求項７２】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させるためのプログラム。
【請求項７３】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させるためのプログラム。
【請求項７４】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させるためのプログラム。
【請求項７５】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラム。
【請求項７６】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラム。
【請求項７７】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラム。
【請求項７８】
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させるためのプログラム。
【請求項７９】
前記機種周波数特性情報を前記撮像画像データから取得することを特徴とする請求項６８、７０、７２、７４、７６、７８のうち何れか一項に記載のプログラム。
【請求項８０】
前記機種階調特性情報を前記撮像画像データから取得することを特徴とする請求項７１、７２、７７、７８のうち何れか一項に記載のプログラム。
【請求項８１】
撮像装置毎の周波数帯域差を補正することにより前記撮像画像データの周波数特性を前記シーン参照周波数特性に変換することを特徴とする請求項６７〜８０のうち何れか一項に記載のプログラム。
【請求項８２】
前記撮像画像データの周波数特性を前記シーン参照周波数特性に変換する場合、該周波数特性を予め設定された標準周波数特性に変換することを特徴とする請求項６７〜８０のうち何れか一項に記載のプログラム。
【請求項８３】
前記標準周波数特性は、周波数帯域に対する分解能が直線的に変化する周波数特性であることを特徴とする請求項８２に記載のプログラム。
【請求項８４】
前記標準周波数特性は、周波数帯域に対する分解能が人体の視覚特性に基づいて変化する周波数特性であることを特徴とする請求項８２に記載のプログラム。
【請求項８５】
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すことを特徴とする請求項６７〜８４のうち何れか一項に記載のプログラム。
【請求項８６】
前記階調補正処理を行う際、撮像画像データを非線形に補正することを特徴とする請求項８５に記載のプログラム。
【請求項８７】
前記前処理が、前記撮像画像データの色特性から当該撮像装置固有の色特性を除去することにより前記撮像画像データの色特性をシーン参照色空間特性に変換する処理を含むことを特徴とする請求項１〜２０のうち何れか一項に記載の画像処理方法。
【請求項８８】
前記撮像画像データの色特性から撮像装置固有の色特性を除去することにより前記撮像画像データの色特性をシーン参照色空間特性に変換し、撮像画像データの階調特性を補正する色特性補正手段を備えたことを特徴とする請求項２１〜３３のうち何れか一項に記載の画像処理装置。
【請求項８９】
前記撮像画像データの色特性から撮像装置固有の色特性を除去することにより前記撮像画像データの色特性をシーン参照色空間特性に変換し、撮像画像データの階調特性を補正する色特性補正手段を備えたことを特徴とする請求項３４〜４６のうち何れか一項に記載の画像記録装置。
【請求項９０】
前記前処理が、前記撮像画像データの色特性から当該撮像装置固有の色特性を除去することにより前記撮像画像データの色特性をシーン参照色空間特性に変換する処理を含むことを特徴とする請求項４７〜６６のうち何れか一項に記載の記録媒体。
【請求項９１】
前記前処理が、前記撮像画像データの色特性から当該撮像装置固有の色特性を除去することにより前記撮像画像データの色特性をシーン参照色空間特性に変換する処理を含むことを特徴とする請求項６７〜８６のうち何れか一項に記載のプログラム。
【請求項９２】
前記シーン参照色空間特性への変換処理は、撮像装置固有の機種色特性を用いて行うことを特徴とする請求項８７に記載の画像処理方法。
【請求項９３】
前記色特性補正手段は、前記撮像画像データの色特性から撮像装置固有の機種色特性を除去することにより前記撮像画像データの色特性をシーン参照色空間特性に変換することを特徴とする請求項８８に記載の画像処理装置。
【請求項９４】
前記色特性補正手段は、前記撮像画像データの色特性から撮像装置固有の機種色特性を除去することにより前記撮像画像データの色特性をシーン参照色空間特性に変換することを特徴とする請求項８９に記載の画像記録装置。
【請求項９５】
前記シーン参照色空間特性への変換処理は、撮像装置固有の機種色特性を用いて行うことを特徴とする請求項９０に記載の記録媒体。
【請求項９６】
前記シーン参照色空間特性への変換処理は、撮像装置固有の機種色特性を用いて行うことを特徴とする請求項９１に記載のプログラム。
【発明の詳細な説明】
【０００１】
【発明の属する技術分野】
本発明は、撮像装置により取得されたデジタル画像データに対し、出力媒体上での鑑賞画像形成用に最適化処理を施す画像処理方法、当該画像処理方法を用いた画像処理装置、当該画像処理方法を用いて出力媒体上に鑑賞画像を形成する画像記録装置、当該画像処理方法をコンピュータに実行させるためのプログラムおよび当該プログラムを記録したコンピュータ読取り可能な記録媒体に関する。
【０００２】
【従来の技術】
近時、デジタルカメラ等の撮像装置で撮影されたデジタル画像データは様々な方法で表示・プリントされるようになってきている。このようなデジタル画像データは、例えば、ＣＲＴ（Ｃａｔｈｏｄｅ　Ｒａｙ　Ｔｕｂｅ）、液晶、プラズマ等のディスプレイモニタや携帯電話の小型液晶モニタの表示デバイスに表示されたり、デジタルプリンタ、インクジェットプリンタ、サーマルプリンタ等の出力デバイスからハードコピー画像としてプリントされる。
【０００３】
デジタル画像データを鑑賞用途で表示・プリントする際には、鑑賞時に使用するディスプレイモニタやハードコピー画像において所望の画質が得られるように階調調整、輝度調整、カラーバランス調整および鮮鋭性強調等の画像処理が施される。
【０００４】
これまでに、上記種々の表示・プリント方法に対応できるような画像処理方法の開発が進められている。例えば、デジタルＲＧＢ信号が表現する色空間を撮像装置特性に依存しない色空間に標準化する試みがあり、現在では多くのデジタル画像データがｓＲＧＢを標準化された色空間として採用している（「Ｍｕｌｔｉｍｅｄｉａ　Ｓｙｓｔｅｍｓ　ａｎｄ　Ｅｑｕｉｐｍｅｎｔ−Ｃｏｌｏｕｒ　Ｍｅａｓｕｒｅｍｅｎｔ　ａｎｄ　Ｍａｎａｇｅｍｅｎｔ−Ｐａｒｔ２−１：Ｃｏｌｏｕｒ　Ｍａｎａｇｅｍｅｎｔ−Ｄｅｆａｕｌｔ　ＲＧＢ　Ｃｏｌｏｕｒ　Ｓｐａｃｅ−ｓＲＧＢ」　ＩＥＣ”６１９６６−２−１を参照）。このｓＲＧＢの色空間は標準的なＣＲＴディスプレイモニタの色再現領域に対応して設定されている。
【０００５】
また、一般的なデジタルカメラは、ＣＣＤ（Ｃｈａｒｇｅ　Ｃｏｕｐｌｅｄ　Ｄｅｖｉｃｅ；電荷結合素子）と、シフトレジスタと呼ばれる電荷転送機構と、市松模様のカラーフィルタとを組み合わせて感色性を付与した光電変換機能を有するＣＣＤ型撮像素子（以下、単にＣＣＤとも称す）を備える。
【０００６】
デジタルカメラから出力されるデジタル画像データは、ＣＣＤを介して変換された電気的な元信号に対し、ＣＣＤの光電変換機能の補正、例えば、階調補正、分光感度のクロストーク補正、暗電流ノイズ抑制、鮮鋭化、ホワイトバランス調整、彩度調整等の画像処理が施されたものであり、画像編集ソフトを用いて読み取り・表示が可能なように規格化されたデータ形式へのファイル変換・圧縮処理等を経たものである。
【０００７】
このようなデータ形式としては、例えばＥｘｉｆ（ＥＸｃｈａｎｇｅａｂｌｅ　ｉｍａｇｅ　ｆｉｌｅ　ｆｏｒｍａｔ）ファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ（Ｊｏｉｎｔ　Ｐｈｏｔｏｇｒａｐｈｉｃ　Ｅｘｐｅｒｔｓ　Ｇｒｏｕｐ）形式に準拠した圧縮データファイル形式が知られている。
【０００８】
ＥｘｉｆファイルはｓＲＧＢに準拠したものである。ＣＣＤの光電変換機能の補正はｓＲＧＢに準拠するディスプレイモニタ上で最も好適な画質となるよう設定されている。
【０００９】
一般に、どのようなデジタルカメラであっても、ｓＲＧＢ信号に準拠したディスプレイモニタの標準色空間（以下、モニタプロファイルとも称す）で表示することを指示するタグ情報と、画素数、画素配列および１画素当たりのビット数などの機種依存情報を示す付加情報とをデジタル画像データのファイルヘッダにメタデータとして書き込む機能を備えていれば、デジタル画像データをディスプレイモニタに表示する画像編集ソフトによってタグ情報を解析し、モニタプロファイルのｓＲＧＢへの変更を操作者に促したり自動的に変更処理を施したりできるので、異なるディスプレイ間の差異を低減して最適な画像状態で鑑賞可能となる。
【００１０】
また付加情報としては、機種依存情報以外にも、例えばカメラ名称やコード番号等のカメラ種別（機種）に直接関係する情報や、露出時間、シャッタースピード、絞り値（Ｆナンバー）、ＩＳＯ感度、輝度値、被写体距離範囲、光源、ストロボ発光の有無、被写体領域、ホワイトバランス、ズーム倍率、被写体構成、撮影シーンタイプ、ストロボ光源の反射光の量、撮影彩度などの撮影条件設定情報や、被写体の種類に関する情報等を示すタグ（コード）が用いられている。画像編集ソフトや出力デバイスは、これらの付加情報を読み取り、ハードコピー画像の画質をより好適なものとする機能を備えている。
【００１１】
【発明が解決しようとする課題】
ところで、ＣＲＴディスプレイモニタ等の表示デバイスで表示される画像や、各種プリントデバイスによりプリントされるハードコピー画像は、用いられている蛍光体または色材の構成によって色再現領域が異なる。例えばｓＲＧＢ標準色空間に対応するＣＲＴディスプレイモニタの色再現領域は明るい緑や青の領域が広く、当該色再現領域には銀塩写真プリントやインクジェットプリンタ印刷等によるハードコピーでは再現できない領域がある。逆にインクジェット印刷のシアン領域や銀塩写真の黄色領域にはｓＲＧＢ標準色空間に対応するＣＲＴディスプレイモニタでは再現できない領域が存在する（例えばコロナ社「ファインイメージングとディジタル写真」（社）日本写真学会出版委員会編４４４頁参照）。
【００１２】
また加法混色のディスプレイと減法混色のプリンタとでは、階調再現として重視される領域に差異があり、プリントによってシャドー（影）の表現に違いが生じる。この為、ｓＲＧＢ標準色空間で記録された画像をプリントする場合は、両者の色域・輝度域の相違に基づいて再度マッピングする処理が行われている。
【００１３】
しかし、デジタルカメラがｓＲＧＢに準拠していたとしても、各メーカー毎あるいは同じメーカーであってもデジタルカメラの機種毎に、階調特性、色再現空間の設計、あるいは画素数や設定の違いに由来する周波数特性が異なっており、このことが各種プリントデバイスによりプリントされるハードコピー画像を高品質かつ安定に作成することの妨げとなっていた。
【００１４】
特開２００２−０１６８０７号公報および特開２００２−０１６８２１号公報には、デジタルカメラの機種毎に異なる機種階調特性を吸収するための機種階調特性曲線を他の階調補正曲線から独立してデジタルカメラの機種毎に作成し、この機種階調特性曲線を用いた変換によりデジタルカメラの機種固有の階調特性による影響を除去して高画質の処理済画像を得る方法が記載されている。
【００１５】
この方法は機種階調特性プロファイルを用いてデジタルカメラの機種階調特性を吸収する前処理を行った後に、プリンタのＡＥ（オート露出制御）およびＡＷＢ（オートホワイトバランス調整）を行う事を特徴としている。
【００１６】
しかし、本発明者等が上記方法による画像処理を多数の画像に対して試してみると、赤や緑の服を着た人物のクローズアップ写真や、芝生、森等を背景にした写真あるいは花のクローズアップ写真等で、ホワイトバランス調整のエラーが起きやすいという問題があることがわかった。
【００１７】
上記事情に鑑み、本発明の課題は、撮像画像データを用いて出力媒体上に形成される鑑賞画像から撮像装置毎に生じる品質のばらつきを無くして安定性を高めることにより品質向上を図る画像処理方法、当該画像処理方法を用いた画像処理装置、当該画像処理方法を用いて出力媒体上に鑑賞画像を形成する画像記録装置、当該画像処理方法をコンピュータに実行させるためのプログラムおよび当該プログラムが記録されてコンピュータで読取りが可能な記録媒体とを提供することである。
【００１８】
【課題を解決するための手段】
上記課題を解決するため、請求項１に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換する前処理を行うことを特徴とする。
【００１９】
請求項２に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換する前処理を行うことを特徴とする。
【００２０】
請求項３に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行うことを特徴とする。
【００２１】
請求項４に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行うことを特徴とする。
【００２２】
請求項５に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行うことを特徴とする。
【００２３】
請求項６に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行うことを特徴とする。
【００２４】
請求項７に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成することを特徴とする。
【００２５】
請求項８に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成することを特徴とする。
【００２６】
請求項９に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする。
【００２７】
請求項１０に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする。
【００２８】
請求項１１に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする。
【００２９】
請求項１２に記載の発明は、
撮像装置から出力された撮像画像データを鑑賞用に最適化処理して鑑賞画像参照データを作成する画像処理方法において、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成することを特徴とする。
【００３０】
請求項１３に記載の発明のように、請求項２、４、６、８、１０、１２のうち何れか一項に記載の発明において、
前記機種周波数特性情報を前記撮像画像データから取得するのが好ましい。
【００３１】
請求項１４に記載の発明のように、請求項５、６、１１、１２のうち何れか一項に記載の発明において、
前記機種階調特性情報を前記撮像画像データから取得するのが好ましい。
【００３２】
請求項１５に記載の発明のように、請求項１〜１４のうち何れか一項に記載の発明において、
撮像装置毎の周波数帯域差を補正することにより前記撮像画像データの周波数特性を前記シーン参照周波数特性に変換するのが好ましい。
【００３３】
請求項１６に記載の発明のように、請求項１〜１４のうち何れか一項に記載の発明において、
前記撮像画像データの周波数特性を前記シーン参照周波数特性に変換する場合、該周波数特性を予め設定された標準周波数特性に変換するのが好ましい。
【００３４】
請求項１７に記載の発明のように、請求項１６に記載の発明において、
前記標準周波数特性は、周波数帯域に対する分解能が直線的に変化する周波数特性であるのが好ましい。
【００３５】
請求項１８に記載の発明のように、請求項１６に記載の発明において、
前記標準周波数特性は、周波数帯域に対する分解能が人体の視覚特性に基づいて変化する周波数特性であるのが好ましい。
【００３６】
請求項１９に記載の発明のように、請求項１〜１８のうち何れか一項に記載の発明において、
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すのが好ましい。
【００３７】
請求項２０に記載の発明のように、請求項１９に記載の発明において、
前記階調補正処理を行う際、撮像画像データを非線形に補正するのが好ましい。
【００３８】
請求項２１に記載の発明は、
撮像装置から出力された撮像画像データを鑑賞用に最適化処理して鑑賞画像参照データを作成する画像処理装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記最適化処理を行う前に、前記周波数特性補正手段により撮像画像データの周波数特性を補正させる前処理を行うよう制御する制御手段と、
を備えたことを特徴とする。
【００３９】
請求項２２に記載の発明は、
撮像装置から出力された撮像画像データを鑑賞用に最適化処理して鑑賞画像参照データを作成する画像処理装置において、
複数種類の撮像装置の機種周波数特性および機種階調特性情報を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記撮像画像データの階調特性から前記取得された機種階調特性を除去することにより前記撮像画像データの階調特性をシーン参照階調特性に変換し、撮像画像データの階調特性を補正する階調特性補正手段と、
前記最適化処理を行う前に、前記周波数特性補正手段により撮像画像データの周波数特性を補正させると共に前記階調特性補正手段により該撮像画像データの階調特性を補正させる前処理を行うよう制御する制御手段と、
を備えたことを特徴とする。
【００４０】
請求項２３に記載の発明は、
撮像装置から出力された撮像画像データを鑑賞用に最適化処理して鑑賞画像参照データを作成する画像処理装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする。
【００４１】
請求項２４に記載の発明は、
撮像装置から出力された撮像画像データを鑑賞用に最適化処理して鑑賞画像参照データを作成する画像処理装置において、
複数種類の撮像装置の機種周波数特性および機種階調特性を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換すると共に該撮像画像データの階調特性から前記取得された機種階調特性を除去することにより該撮像画像データの階調特性をシーン参照階調特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする。
【００４２】
請求項２５に記載の発明のように、請求項２２または２４に記載の発明において、
前記取得手段は、前記機種階調特性情報を撮像画像データから取得するのが好ましい。
【００４３】
請求項２６に記載の発明のように、請求項２１〜２５のうち何れか一項に記載の発明において、
前記取得手段は、前記機種周波数特性情報を撮像画像データから取得するのが好ましい。
【００４４】
請求項２７に記載の発明のように、請求項２１〜２６のうち何れか一項に記載の発明において、
前記シーン参照周波数特性への変換処理が前記撮像装置毎の周波数帯域の差を補正する処理であるのが好ましい。
【００４５】
請求項２８に記載の発明のように、請求項２１〜２６のうち何れか一項に記載の発明において、
前記シーン参照周波数特性への変換処理が、予め設定された標準周波数特性に変換する処理であるのが好ましい。
【００４６】
請求項２９に記載の発明のように、請求項２８に記載の発明において、
前記標準周波数特性は、周波数帯域に対する分解能が直線的に変化する周波数特性であるのが好ましい。
【００４７】
請求項３０に記載の発明のように、請求項２８に記載の発明において、
前記標準周波数特性は、周波数帯域に対する分解能が人体の視覚特性に基づいて変化する周波数特性であるのが好ましい。
【００４８】
請求項３１に記載の発明のように、請求項２１、２２、２５〜３０のうち何れか一項に記載の発明において、
前記制御手段は、前記最適化処理を行う際、前記撮像画像データに対して明るさと色の偏りを補正した後に階調を補正することによって前記鑑賞画像参照データを生成するのが好ましい。
【００４９】
請求項３２に記載の発明のように、請求項２３〜３０のうち何れか一項に記載の発明において、
前記最適化条件算出手段は、前記撮像画像データに対して明るさと色の偏りを補正した後に階調を補正して前記鑑賞画像参照データを生成するための条件データを算出するのが好ましい。
【００５０】
請求項３３に記載の発明のように、請求項３１または３２に記載の発明において、
前記階調を補正する処理は、非線形補正処理を含むのが好ましい。
【００５１】
請求項３４に記載の発明は、
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記最適化処理を行う前に、前記周波数特性補正手段により撮像画像データの周波数特性を補正させる前処理を行うよう制御する制御手段と、
を備えたことを特徴とする。
【００５２】
請求項３５に記載の発明は、
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性および機種階調特性情報を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換し、撮像画像データの周波数特性を補正する周波数特性補正手段と、
前記撮像画像データの階調特性から前記取得された機種階調特性を除去することにより前記撮像画像データの階調特性をシーン参照階調特性に変換し、撮像画像データの階調特性を補正する階調特性補正手段と、
前記最適化処理を行う前に、前記周波数特性補正手段により撮像画像データの周波数特性を補正させると共に前記階調特性補正手段により該撮像画像データの階調特性を補正させる前処理を行うよう制御する制御手段と、
を備えたことを特徴とする。
【００５３】
請求項３６に記載の発明は、
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性を記憶する記憶手段と、
指定された撮像装置に対応する機種周波数特性を、前記記憶された複数種類の機種周波数特性のなかから取得する取得手段と、
前記撮像画像データの周波数特性から前記取得された機種周波数特性を除去することにより前記撮像画像データの周波数特性をシーン参照周波数特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする。
【００５４】
請求項３７に記載の発明は、
撮像装置から出力された撮像画像データを鑑賞用に最適化処理して鑑賞画像参照データを作成し、当該鑑賞画像参照データが表す撮像画像を出力媒体上に形成する画像記録装置において、
複数種類の撮像装置の機種周波数特性および機種階調特性を記憶する記憶手段と、
指定された撮像装置に対応する機種周波数特性および機種階調特性を、前記記憶された複数種類の機種周波数特性および機種階調特性のなかから各々取得する取得手段と、
前記撮像画像データの周波数特性から前記取得された機種周波数特性を除去することにより前記撮像画像データの周波数特性をシーン参照周波数特性に変換すると共に該撮像画像データの階調特性から前記取得された機種階調特性を除去することにより該撮像画像データの階調特性をシーン参照階調特性に変換する前処理を行うための条件データを算出する前処理条件算出手段と、
前記最適化処理を行うための条件データを算出する最適化条件算出手段と、
前記前処理条件算出手段および最適化条件算出手段により算出された条件データに基づいて、前記撮像画像データを出力媒体に出力するための条件データを算出する出力条件算出手段と、
前記出力条件算出手段により算出された条件データに基づいて出力用の画像データを生成する画像データ生成手段と、
を備えたことを特徴とする。
【００５５】
請求項３８に記載の発明のように、請求項３５または３７に記載の発明において、
前記取得手段は、前記機種階調特性情報を撮像画像データから取得するのが好ましい。
【００５６】
請求項３９に記載の発明のように、請求項３４〜３８のうち何れか一項に記載の発明において、
前記取得手段は、前記機種周波数特性情報を撮像画像データから取得するのが好ましい。
【００５７】
請求項４０に記載の発明のように、請求項３４〜３９のうち何れか一項に記載の発明において、
前記シーン参照周波数特性への変換処理が前記撮像装置毎の周波数帯域の差を補正する処理であるのが好ましい。
【００５８】
請求項４１に記載の発明のように、請求項３４〜３９のうち何れか一項に記載の発明において、
前記シーン参照周波数特性への変換処理が、予め設定された標準周波数特性に変換する処理であるのが好ましい。
【００５９】
請求項４２に記載の発明のように、請求項４１に記載の発明において、
前記標準周波数特性は、周波数帯域に対する分解能が直線的に変化する周波数特性であるのが好ましい。
【００６０】
請求項４３に記載の発明のように、請求項４１に記載の発明において、
前記標準周波数特性は、周波数帯域に対する分解能が人体の視覚特性に基づいて変化する周波数特性であるのが好ましい。
【００６１】
請求項４４に記載の発明のように、請求項３４、３５、３８〜４３のうち何れか一項に記載の発明において、
前記制御手段は、前記最適化処理を行う際、前記撮像画像データに対して明るさと色の偏りを補正した後に階調を補正することによって前記鑑賞画像参照データを生成するのが好ましい。
【００６２】
請求項４５に記載の発明のように、請求項３６〜４３のうち何れか一項に記載の発明において、
前記最適化条件算出手段は、前記撮像画像データに対して明るさと色の偏りを補正した後に階調を補正して前記鑑賞画像参照データを生成するための条件データを算出するのが好ましい。
【００６３】
請求項４６に記載の発明のように、請求項４４または４５に記載の発明において、
前記階調を補正する処理は、非線形補正処理を含むのが好ましい。
【００６４】
請求項４７に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行う機能を実現させる。
【００６５】
請求項４８に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行う機能を実現させる。
【００６６】
請求項４９に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させる。
【００６７】
請求項５０に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させる。
【００６８】
請求項５１に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させる。
【００６９】
請求項５２に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させる。
【００７０】
請求項５３に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させる。
【００７１】
請求項５４に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させる。
【００７２】
請求項５５に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００７３】
請求項５６に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００７４】
請求項５７記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００７５】
請求項５８に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００７６】
請求項５９に記載の発明のように、請求項４８、５０、５２、５４、５６、５８のうち何れか一項に記載の発明において、
前記機種周波数特性情報を前記撮像画像データから取得するのが好ましい。
【００７７】
請求項６０に記載の発明のように、請求項５１、５２、５７、５８のうち何れか一項に記載の発明において、
前記機種階調特性情報を前記撮像画像データから取得するのが好ましい。
【００７８】
請求項６１に記載の発明のように、請求項４７〜６０のうち何れか一項に記載の発明において、
撮像装置毎の周波数帯域差を補正することにより前記撮像画像データの周波数特性を前記シーン参照周波数特性に変換するのが好ましい。
【００７９】
請求項６２に記載の発明のように、請求項４７〜６０のうち何れか一項に記載の発明において、
前記撮像画像データの周波数特性を前記シーン参照周波数特性に変換する場合、該周波数特性を予め設定された標準周波数特性に変換するのが好ましい。
【００８０】
請求項６３に記載の発明のように、請求項６２に記載の発明において、
前記標準周波数特性は、周波数帯域に対する分解能が直線的に変化する周波数特性であるのが好ましい。
【００８１】
請求項６４に記載の発明のように、請求項６２に記載の発明において、
前記標準周波数特性は、周波数帯域に対する分解能が人体の視覚特性に基づいて変化する周波数特性であるのが好ましい。
【００８２】
請求項６５に記載の発明のように、請求項４７〜６４のうち何れか一項に記載の発明において、
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すのが好ましい。
【００８３】
請求項６６に記載の発明のように、請求項６５に記載の発明において、
前記階調補正処理を行う際、撮像画像データを非線形に補正するのが好ましい。
【００８４】
請求項６７に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行う機能を実現させる。
【００８５】
請求項６８に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行う機能を実現させる。
【００８６】
請求項６９に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させる。
【００８７】
請求項７０に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の階調特性を除去することにより前記撮像画像データの階調特性をシーン参照階調特性に変換する前処理を行う機能を実現させる。
【００８８】
請求項７１に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させる。
【００８９】
請求項７２に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に、該撮像画像データの階調特性から当該撮像装置固有の機種階調特性を除去することにより前記撮像画像データの階調特性をシーン参照階調特性に変換する前処理を行う機能を実現させる。
【００９０】
請求項７３に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させる。
【００９１】
請求項７４に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換する前処理を行うための条件データと、当該最適化処理を行うための条件データとに基づいて、当該撮像画像データを出力媒体に出力するための条件データを生成する機能を実現させる。
【００９２】
請求項７５に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００９３】
請求項７６に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００９４】
請求項７７に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００９５】
請求項７８に記載の発明は、
撮像装置から出力された撮像画像データを鑑賞用に最適化処理して鑑賞画像参照データを作成する画像処理を行うコンピュータに、
前記最適化処理を行う前に、前記撮像画像データの周波数特性から当該撮像装置固有の機種周波数特性を除去することにより前記撮像画像データの周波数特性をシーン参照周波数特性に変換すると共に該撮像画像データの階調特性から当該撮像装置固有の機種階調特性を除去することにより前記撮像画像データの階調特性をシーン参照階調特性に変換する前処理を行うための条件データと、当該最適化処理を行うための条件データとに基づいて、当該撮像画像データを出力媒体に出力するための条件データを生成する機能を実現させる。
【００９６】
請求項７９に記載の発明のように、請求項６８、７０、７２、７４、７６、７８のうち何れか一項に記載の発明において、
前記機種周波数特性情報を前記撮像画像データから取得するのが好ましい。
【００９７】
請求項８０に記載の発明のように、請求項７１、７２、７７、７８のうち何れか一項に記載の発明において、
前記機種階調特性情報を前記撮像画像データから取得するのが好ましい。
【００９８】
請求項８１に記載の発明のように、請求項６７〜８０のうち何れか一項に記載の発明において、
撮像装置毎の周波数帯域差を補正することにより前記撮像画像データの周波数特性を前記シーン参照周波数特性に変換するのが好ましい。
【００９９】
請求項８２に記載の発明のように、請求項６７〜８０のうち何れか一項に記載の発明において、
前記撮像画像データの周波数特性を前記シーン参照周波数特性に変換する場合、該周波数特性を予め設定された標準周波数特性に変換するのが好ましい。
【０１００】
請求項８３に記載の発明のように、請求項８２に記載の発明において、
前記標準周波数特性は、周波数帯域に対する分解能が直線的に変化する周波数特性であるのが好ましい。
【０１０１】
請求項８４に記載の発明のように、請求項８２に記載の発明において、
前記標準周波数特性は、周波数帯域に対する分解能が人体の視覚特性に基づいて変化する周波数特性であるのが好ましい。
【０１０２】
請求項８５に記載の発明のように、請求項６７〜８４のうち何れか一項に記載の発明において、
前記前処理後の撮像画像データを鑑賞用に最適化して前記鑑賞画像参照データを生成する際、該撮像画像データに明るさを補正する露出制御処理と色の偏りを補正するグレーバランス調整処理とを施した後に階調を補正する階調補正処理を施すのが好ましい。
【０１０３】
請求項８６に記載の発明のように、請求項８５に記載の発明において、
前記階調補正処理を行う際、撮像画像データを非線形に補正するのが好ましい。
【０１０４】
請求項８７に記載の発明のように、請求項１〜２０のうち何れか一項に記載の発明において、
前記前処理が、前記撮像画像データの色特性から当該撮像装置固有の色特性を除去することにより前記撮像画像データの色特性をシーン参照色空間特性に変換する処理を含むのが好ましい。
【０１０５】
請求項８８に記載の発明のように、請求項２１〜３３のうち何れか一項に記載の発明において、
前記撮像画像データの色特性から撮像装置固有の色特性を除去することにより前記撮像画像データの色特性をシーン参照色空間特性に変換し、撮像画像データの階調特性を補正する色特性補正手段を備えるのが好ましい。
【０１０６】
請求項８９に記載の発明のように、請求項３４〜４６のうち何れか一項に記載の発明において、
前記撮像画像データの色特性から撮像装置固有の色特性を除去することにより前記撮像画像データの色特性をシーン参照色空間特性に変換し、撮像画像データの階調特性を補正する色特性補正手段を備えるのが好ましい。
【０１０７】
請求項９０に記載の発明のように、請求項４７〜６６のうち何れか一項に記載の発明において、
前記前処理が、前記撮像画像データの色特性から当該撮像装置固有の色特性を除去することにより前記撮像画像データの色特性をシーン参照色空間特性に変換する処理を含むのが好ましい。
【０１０８】
請求項９１に記載の発明のように、請求項６７〜８６のうち何れか一項に記載の発明において、
前記前処理が、前記撮像画像データの色特性から当該撮像装置固有の色特性を除去することにより前記撮像画像データの色特性をシーン参照色空間特性に変換する処理を含むのが好ましい。
【０１０９】
請求項９２に記載の発明のように、請求項８７に記載の発明において、
前記シーン参照色空間特性への変換処理は、撮像装置固有の機種色特性を用いて行うのが好ましい。
【０１１０】
請求項９３に記載の発明のように、請求項８８に記載の発明において、
前記色特性補正手段は、前記撮像画像データの色特性から撮像装置固有の機種色特性を除去することにより前記撮像画像データの色特性をシーン参照色空間特性に変換するのが好ましい。
【０１１１】
請求項９４に記載の発明のように、請求項８９に記載の発明において、
前記色特性補正手段は、前記撮像画像データの色特性から撮像装置固有の機種色特性を除去することにより前記撮像画像データの色特性をシーン参照色空間特性に変換するのが好ましい。
【０１１２】
請求項９５に記載の発明のように、請求項９０に記載の発明において、
前記シーン参照色空間特性への変換処理は、撮像装置固有の機種色特性を用いて行うのが好ましい。
【０１１３】
請求項９６に記載の発明のように、請求項９１に記載の発明において、
前記シーン参照色空間特性への変換処理は、撮像装置固有の機種色特性を用いて行うのが好ましい。
【０１１４】
ここで、本願の各請求項において用いられる用語等を補足的に説明する。
「生成」は、本発明の撮像装置、画像処理装置および画像記録装置内において作用するプログラムが、電子ファイルを新たに作り出すことである。以下では「作成」を「生成」の同義語として用いている。
【０１１５】
請求項１に記載の本発明の「画像処理方法」は、撮像画像データの周波数特性をシーン参照周波数特性に変換する前処理を施すことを特徴とする。
【０１１６】
本発明者らは実験により鋭意検討した結果、撮像画像の周波数特性を一旦シーン参照周波数特性に変換した後で階調変換処理等を施すことでデジタルカメラ毎のばらつきが低減され、細かな線の入った人物のクローズアップ写真や、芝生や建物を背景にした写真、あるいは文字、髪の毛を含んだクローズアップ写真等で、鮮鋭感に違和感を生じる問題が発生しなくなることを見出した。
【０１１７】
一般のデジタルカメラは、搭載された撮像素子の画素数に応じて周波数特性（周波数帯域毎の分解能）を選択的に強調したり抑制したりする処理を行っている。また、周波数特性は細かな被写体情報を分解しているか否かの違いだけでなく、コントラストの違いも伴っている。このことは階調特性の調整に連動して周波数特性もカメラメーカーが機種毎に設定した周波数特性から変化したためではないか、という結論を得るに至った。
【０１１８】
ここで、「周波数特性」について補足する。
デジタルカメラ等の撮像装置の持つ周波数特性（すなわち分解能）を表す指標として、ＭＴＦ（Ｍｏｄｕｌａｔｉｏｎ　Ｔｒａｎｓｆｅｒ　Ｆｕｎｃｔｉｏｎ：振幅伝達関数）が知られている。ＭＴＦとは、被写体の持つコントラストがどの程度維持されるかを空間周波数毎の伝達率として評価したものを、空間周波数特性（ｓｐａｔｉａｌ　ｆｒｅｑｕｅｎｃｙ）として表現したものである。空間周波数（本／ｍｍ）とは、白黒で構成される矩形パターンが、１ｍｍあたりに何本含まれるかで表される。
【０１１９】
コントラストの低下の度合いは明暗模様の空間周波数νの関数として考えることができ、デジタル画像データのもつコントラストＣ（ν）は次のように定義される。
【０１２０】
【数１】
2004096505.tif 000003
【０１２１】
ここで、Ｉｂｒｉｇｈｔは明暗模様の中で最も明るい部分の輝度、Ｉｄａｒｋは最も暗い部分の輝度である。このように定義すれば、入力画像のコントラストＣｂｅｆｏｒｅ（ν）と、出力画像のコントラストＣａｆｔｅｒ（ν）の関係は、伝達関数ＭＴＦ（ν）を用いて、下記数２に示す式のように表される。この式よりＭＴＦ（ν）が決定される。
【０１２２】
【数２】
2004096505.tif 000004
【０１２３】
空間周波数が低周波側、すなわち無限に長い周期の明暗模様を見たときには、コントラスト伝達率は１、つまり実物と同じコントラストで明暗模様が見える。明暗模様の間隔が狭くなるにしたがってコントラスト伝達率が減少し、空間周波数が高周波側のところでは、ＭＴＦが０（つまり、コントラストゼロ）となって明暗模様がまったく分離できなくなる。
【０１２４】
ＣＣＤ等の撮像素子を１つ用いる単板式と称されるデジタルカメラの場合、ベイヤー配列等のカラーフィルタにより色分解能が付与されている。また、ＣＣＤ等の撮像素子の配列には、縦横均等に画素が配列した格子状の配列パターンと、斜めに配列されたハニカム状の配列パタンーンが知られている。
【０１２５】
ベイヤー配列は、人の視覚特性に習い、Ｂ、Ｒに比べＧの画素が全画素の半分を占めるよう１つ置きに配置されている。そしてＢ、Ｒが配置されたＧ情報の欠如位置は、周辺の情報を用いて画像処理により補間される。
【０１２６】
このような構成の撮像素子では、サンプリング定理に基づく理論的な分解の限界点であるナイキスト周波数が、用いられるＣＣＤの配列パターンや総画素数により、前記ＭＴＦの高周波数側において設定される。
【０１２７】
さらにＣＣＤの画素配列による干渉縞を防止する為に、所定の高周波数帯域をカットするフィルタ（ローパスフィルタ）も備えられており、レンズの光学性能をも加味すると、デジタルカメラ毎に異なる様々なＭＴＦが存在することになる。
【０１２８】
このような特性を持った画像について、例えば特開２００２−１６８０７号公報において開示されているようなグレーパッチで作成した機種階調特性プロファイルのみを適用した場合には、元々存在するカメラ機種違いでの周波数特性差が補正されず、むしろ差を拡大してしまった為に、鮮鋭感に極度の違和感が生じることとなったものと推測される。
【０１２９】
「撮像装置」とは、光電変換機能を有する撮像素子（イメージセンサ）を備えた装置であって、所謂デジタルカメラやスキャナがこれに含まれる。前記撮像素子の一例としては、前述したＣＣＤ型撮像素子やＣＭＯＳ型撮像素子等が挙げられる。これらの撮像素子の出力電流はＡ／Ｄ変換器によりデジタル化される。この段階での各色チャンネルの内容は、撮像素子固有の分光感度に基づいた信号強度となっている。
【０１３０】
「撮像画像データ」は、撮像装置により記録された被写体に忠実な情報を示す出力信号がＡ／Ｄ変換器によりデジタル化されたデータに固定パターンノイズ、暗電流ノイズ等のノイズ補正を行った後、階調変換、鮮鋭性強調、彩度強調等といった画像鑑賞時の効果を向上させる為の画像処理や、撮像素子固有の分光感度に基づく各色チャンネルの信号強度をＲＩＭＭ　ＲＧＢやＥＲＩＭＭ　ＲＧＢ（Ｊｏｕｒｎａｌ　ｏｆ　Ｉｍａｇｉｎｇ　Ｓｃｉｅｎｃｅ　ａｎｄ　Ｔｅｃｈｎｏｌｏｇｙ　４５巻　４１８〜４２６頁（２００１年）参照）などの標準色空間にマッピングする処理等が施されたデジタル画像データである。
【０１３１】
「出力媒体」は、ＣＲＴ、液晶ディスプレイ、プラズマディスプレイ等の表示デバイスや、銀塩印画紙、インクジェットペーパー、サーマルプリンタ用紙等のハードコピー画像生成用の原稿が一例として挙げられる。
【０１３２】
「鑑賞画像参照データ」は、本発明の画像処理方法に基づいて生成された画像データであり、ＣＲＴ、液晶ディスプレイ、プラズマディスプレイ等の表示デバイスに表示する際に用いられるものや、また銀塩印画紙、インクジェットペーパー、サーマルプリンタ用紙等の出力媒体上のハードコピー画像生成に用いられるものを意味する。鑑賞画像参照データは、上記表示デバイスや、上記出力媒体上で鑑賞用に最適な画像を得るための最適化処理が施されている。
【０１３３】
撮像画像データから撮像装置固有の（機種）周波数特性および／または階調特性が除去された画像データ（以下、シーン参照画像データという）は、撮像素子自体の分光感度に基づく各色チャンネルの信号強度をＲＩＭＭ　ＲＧＢやＥＲＩＭＭ　ＲＧＢなどの標準色空間にマッピング済みであり、階調変換、鮮鋭性強調、彩度強調のような画像鑑賞時の効果を向上する為の画像処理が省略されて処理された画像データを意味する。
【０１３４】
ただし、この文献は周波数特性にまで言及しておらず、シーン参照画像データを周波数の概念まで拡張させたことが本発明の特徴の一つである。
【０１３５】
また、シーン参照画像データは、撮像装置の光電変換特性（ＩＳＯ１４５２が定義するｏｐｔｏ−ｅｌｅｃｔｒｏｎｉｃ　ｃｏｎｖｅｒｓｉｏｎ　ｆｕｎｃｔｉｏｎ、例えばコロナ社「ファインイメージングとディジタル写真」（社）日本写真学会出版委員会編４４９頁参照）の補正を行ったものが好ましい。
【０１３６】
シーン参照画像データの情報量（例えば階調数）は、鑑賞画像参照データで必要とされる情報量（例えば階調数）と同等以上であることが好ましい。例えば鑑賞画像参照データの階調数が１チャンネルあたり８ｂｉｔである場合、シーン参照生データの階調数は１２ｂｉｔ以上が好ましく、１４ｂｉｔ以上がより好ましく、また１６ｂｉｔ以上がさらに好ましい。
【０１３７】
「シーン参照周波数特性」は、前記シーン参照画像データにおいて、画像鑑賞時の効果を向上する為にデータ内容を改変する画像処理の内、特に周波数変換処理が省略された状態の画像データを意味する。
【０１３８】
カメラ毎の周波数の違いは、画素数の違いと、階調設定と同様の周波数帯域毎のコントラスト設定の違いの大きくは２つが要因となっている。
本発明ではこの点に着目し、画素数毎あるいはカメラ機種毎に、周波数帯域毎のコントラストを予め設定した条件に補正する標準化処理を施すことを特徴としている。
【０１３９】
シーン参照周波数特性に変換する処理を請求項１５に記載の発明のように撮像装置毎の周波数特性（周波数帯域差）の補正処理とすれば、前記シーン参照階調特性への変換処理に伴う周波数変化も含めて高精度に補正することが出来る。
【０１４０】
シーン参照周波数特性に変換する処理を請求項１６に記載の発明のように標準周波数特性に変換する処理とすれば、処理の精度向上と効率化が達成される。
【０１４１】
請求項２に記載の画像処理方法は、撮像画像データの周波数特性を機種周波数特性情報を用いてシーン参照周波数特性に変換することによりシーン参照画像データを生成する前処理を施すことを特徴とする。
【０１４２】
「機種周波数特性情報」とは、撮像装置毎の機種周波数特性の補正が実施可能なデータであり、周波数特性を直接表す情報、あるいは撮像装置を特定する為の機種名、記号、コード等である。
【０１４３】
機種周波数特性情報は、本処理を実施する画像処理装置あるいは画像記録装置に対し、オペレータによりマニュアル入力されたり、撮像画像データ内に記録された情報のみを用いて自動的に入力される。
【０１４４】
機種周波数特性情報が撮像装置を特定する為の機種名、記号、コードであって、かつ自動的に入力される態様においては、本処理を実施する画像処理装置あるいは画像記録装置は、機種名と周波数特性との対応表を保有する必要がある。この対応表は、画像処理装置内のメモリに直接記憶されている必要はなく、ネットワークを介して接続された遠隔地のサーバーから読み出される態様であっても良い。
【０１４５】
ここで、「周波数特性を直接表す情報」の作成方法について詳述する。本発明では、撮像装置の持つ周波数特性を直接表す情報としてＭＴＦを用いることが好ましい。
【０１４６】
ＭＴＦの算出には、被写体の持つコントラストがどの程度維持されるかを空間周波数毎の伝達率として評価するために、空間周波数を表す白・黒の矩形画像で構成されたチャート（以下、「鮮鋭性評価用チャート」という）を用いる。
【０１４７】
前記鮮鋭性評価用チャートを撮像装置で撮影し、得られたデジタル画像データ中の、同一空間周波数を表す矩形画像部分の白（Ｉｂｒｉｇｈｔ）、黒（Ｉｄａｒｋ）の夫々の８ｂｉｔ値を求め、上記数１に示す方程式によって同空間周波数のコントラストＣａｆｔｅｒ（ν）を算出する。特に前記した白、黒各々の８ｂｉｔを全空間周波数νについて予め求める。
【０１４８】
また同様にして、鮮鋭性評価チャート自体のコントラストＣｂｅｆｏｒｅ（ν）を求め、上記数２に示す方程式によってＭＴＦ（ν）を算出する。
【０１４９】
このＭＴＦ（ν）の値をコード化して周波数特性を直接表す情報を作成する。
【０１５０】
ここで、上記した方法により得られた図中符号ａに示すＭＴＦ（ν）カーブを図１に示す。
【０１５１】
次に周波数特性の補正方法について補足する。
周波数特性の補正とは、ＭＴＦ（ν）の形状を変えることであり、所定の周波数帯域をカットする、或いは作り出すことも含む。
【０１５２】
特に、請求項１５、２７、４０、６１、８１に記載の「撮像装置毎の周波数帯域の差を補正する」とは、上記撮像装置毎に予め算出されたＭＴＦ（ν）で、ある特定の撮像装置のＭＴＦ（ν）を基準に設定し、これに合わせる処理を施すことである。
【０１５３】
また、請求項１６、２８、４１、６２、８２に記載の「標準周波数特性に変換する処理」とは、上記撮像装置毎に予め算出されたＭＴＦ（ν）を予め設定しておいた仮想的な基準ＭＴＦ（ν）に合わせる処理を施すことである。
【０１５４】
請求項１７、２９、４２、６３、８３に記載の「周波数帯域に対する分解能が直線的に変化する特性」とは、例えば基準ＭＴＦ（ν）を図１の図中符号ｂに示すようなＭＴＦ（ν）カーブとすることである。
【０１５５】
請求項１８、３０、４３、６４、８４に記載の「周波数帯域に対する分解能の変化が人間の目の視覚特性に基づく」とは、例えば、前記予め設定しておいた仮想的な基準ＭＴＦ（ν）を人間の視覚特性と近似するようなＭＴＦ（ν）カーブとすることである。
【０１５６】
上記視覚のＭＴＦ（ν）（以下、ＶＴＦ（ν）という）については、例えば「ファインイメージングとデジタル写真」（社）日本写真学会出版委員会編３８２頁に記載されている。
【０１５７】
ここで、図２に、観察距離３００ｍｍにおけるＶＴＦ（ν）を示す。
【０１５８】
請求項１３に記載の「機種周波数特性情報を前記撮像画像データから取得する」とは、機種周波数特性情報が撮像画像データ内のヘッダ部に書き込まれるタグ情報として記録されていることを意味する。このようなデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０１５９】
機種周波数特性情報が撮像画像データとは独立に記録メディアに保存されている態様である場合には、機種周波数特性情報、撮像画像データの何れか、または両方に対して両者を関連付ける為の情報の付与または別途関連情報の記載されたステータス情報ファイルを添付する必要がある。
【０１６０】
周波数特性は撮像装置毎に設定が大きく異なり、これを高精度に推定するのは困難な為、本発明においては、周波数変換処理に機種周波数特性情報を用いるようにしている。その結果、このシーン参照周波数特性の状態においては、如何なる撮像装置により取得された撮像画像データであっても、略同一の周波数特性が得られる。
【０１６１】
「機種階調特性情報」とは、撮像装置毎の機種階調特性の補正が実施可能なデータであり、階調特性を直接表す情報、あるいは撮像装置を特定する為の機種名、記号、番号、コード等である。
【０１６２】
機種階調特性情報は、本処理を実施する画像処理装置あるいは画像記録装置に対し、オペレータがマニュアル入力されたり、撮像画像データ内に記録された情報のみを用いて自動的に入力される。
【０１６３】
機種階調特性情報が撮像装置を特定する為の機種名、記号、コードであって、かつ自動的に入力される態様においては、本処理を実施する画像処理装置あるいは画像記録装置は、機種名と階調特性との対応表を保有する必要がある。前記対応表は、画像処理装置内のメモリに直接記憶されている必要はなく、ネットワークを介して接続された遠隔地のサーバーから読み出される態様であっても良い。
【０１６４】
請求項１４に記載の「機種階調特性情報を前記撮像画像データから取得する」とは、機種階調特性情報が撮像画像データ内のヘッダ部に書き込まれるタグ情報として記録されていることを意味する。このようなデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０１６５】
機種階調特性情報が撮像画像データとは独立に記録メディアに保存されている態様である場合には、機種階調特性情報、撮像画像データの何れか、又は両方に対して両者を関連付ける為の情報の付与または別途関連情報の記載されたステータス情報ファイルを添付する必要がある。
【０１６６】
「シーン参照階調特性」とは、シーン参照画像データにおいて画像鑑賞時の効果を向上する為にデータ内容を改変する画像処理の内、特に階調変換処理が省略された状態の画像データを意味する。
【０１６７】
階調特性は撮像装置毎に設定が大きく異なり、これを高精度に推定するのは困難な為、本発明においては、階調変換処理に機種階調特性情報を用いるようにしている。結果、このシーン参照階調特性の状態においては、如何なる撮像装置により取得された撮像画像データであっても、ほぼ同一の周波数特性を示すことになる。
【０１６８】
また請求項１〜６に記載の発明によれば、撮像画像データに対してシーン参照階調特性およびシーン参照周波数特性への変換処理を施すことによって、鑑賞画像参照データからシーン参照画像データが再生される。従って、このシーン参照画像データの状態においては、如何なる撮像装置により取得された撮像画像データであっても、ほぼ同一の階調特性と周波数特性を示すはずである。
【０１６９】
また、請求項８７〜９１に記載の発明のように、撮像画像データに対してシーン参照階調特性およびシーン参照周波数特性への変換処理と併せて、シーン参照色空間特性への変換処理を施すのが好ましい。
【０１７０】
本願発明者等は、赤や緑の服を着た人物のクローズアップ写真や、芝生や森を背景にした写真、花のクローズアップ写真等では、ホワイトバランス調整エラーが起きやすいという問題がある事を認識している。
【０１７１】
デジタルカメラは、赤や緑等の特定の色について選択的に彩度を強調する処理を行っている。例えば特開２００２−１６８０７号公報で開示されているようなグレーパッチで作成した機種階調特性プロファイルのみが適用された場合、彩度強調後の色の領域は適正なシーン参照階調特性とはならず、このためホワイトバランス調整のエラーが発生したものと推測している。
【０１７２】
「シーン参照色空間特性」とは、シーン参照画像データにおいて、画像鑑賞時の効果を向上する為にデータ内容を改変する画像処理の内、特にＲＩＭＭ　ＲＧＢやＥＲＩＭＭ　ＲＧＢ等の標準色空間にマッピングする処理や、彩度強調処理が省略された状態の画像データを意味する。
【０１７３】
請求項９２〜９６に記載の発明のように、シーン参照階調特性への変換処理と同様にシーン参照色空間特性への変換処理に機種色特性情報を用いても良い。
【０１７４】
「機種色特性情報」とは、撮像装置毎の機種色特性の補正が実施可能なデータであり、色特性を直接表す情報、あるいは撮像装置を特定する為の機種名、記号、コードである。
【０１７５】
機種色特性情報は、本処理を実施する画像処理装置あるいは画像記録装置に対し、オペレータによりマニュアル入力されたり、撮像画像データに付随されている情報のみを用いて自動的に入力される。
【０１７６】
機種色特性情報が撮像装置を特定する為の機種名、記号、コードであって、かつ自動的に入力される態様においては、本処理を実施する画像処理装置あるいは画像記録装置は、機種名と色特性との対応表を保有する必要がある。この対応表は、画像処理装置内のメモリに直接記憶されている必要はなく、ネットワークを介して接続された遠隔地のサーバーから読み出される態様であっても良い。
【０１７７】
「機種色特性情報が撮像画像データに付随されている」とは、機種色特性情報が撮像画像データ内のヘッダ部に書き込まれるタグ情報として記録されていることである。このようなデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０１７８】
機種色特性情報が、機種周波数特性情報、機種階調特性情報、「撮像画像データとは独立に記録メディアに保存されている態様である場合には、機種色特性情報、機種周波数特性情報、機種階調特性情報、撮像画像データの何れか、または機種色特性情報と、機種周波数特性情報、機種階調特性情報」、「撮像画像データ」の何れか１つとに対し、両者を関連付ける為の情報の付与または別途関連情報の記載されたステータス情報ファイルを添付する必要がある。
【０１７９】
機種階調特性情報がグレーバッチを用いて作成されている場合、初めに撮像装間の差異を色特性に関して補正した後、階調特性に関して補正するのが好ましい。或いは別の方法としては、マンセル色票のようなチャートの実写結果から、各色相角毎に機種階調特性情報を作成することにより、色空間特性と階調特性の補正を１ステップで行うことが可能となる。
【０１８０】
請求項７〜１２、５３〜５８、７３〜７８に記載の内容は、鑑賞画像参照データ生成過程で、実際にはシーン参照画像データに変換せず、シーン参照画像データを生成する代わりに、目標とする周波数特性が出力媒体上で得られるように演算処理を施すことを意味している。
【０１８１】
出力媒体上で主観的に好ましい周波数特性（以下、「目標周波数」という）は、予め設定された条件に基づき予測することが可能である。
この目標周波数を左右する要因としては、下記項目が例として挙げられる。
【０１８２】
１．出力媒体の種類
２．出力媒体のサイズ
３．主要被写体の大きさ、例えば人物の顔の大きさ
４．シーン判別の結果、例えば主要被写体の種類やシーンの構図
【０１８３】
これに対し無補正状態での出力では、出力媒体上の周波数特性は、撮像装置の種類や出力デバイスによって決定される周波数特性（以下、「機器周波数」という）となっている。
【０１８４】
目標周波数と機器周波数との差異を補正するには、一旦撮像装置毎の周波数特性の差異を補正した画像データ（シーン参照画像データ）を中間画像として作成する方法と、画像データを作成せず、演算処理だけを行い最終の出力画像データ（鑑賞画像参照データ）のみを得る方法とが考えられ、本発明は後者の場合に相当する。
【０１８５】
ここで、請求項１９に記載の本発明の画像形成方法について詳述する。
請求項１９に記載の画像形成方法は、撮像装置固有の変換特性を補正する第１のステップ、露出制御処理とグレーバランス調整処理とを施す第２のステップ、および階調補正処理を施す第３のステップの少なくとも３つのステップにより構成されるのが好ましい。また、前記第１ステップ以外の工程において、絵作りに適した周波数特性の変更処理を施すのが好ましい。
【０１８６】
前記第１のステップは、入力された鑑賞画像参照データからシーン参照画像データへと変換する変換プロセスであり、第２のステップは、撮像装置固有の差異を無くし画像データの共通化を図るためのシーン参照画像データへの変換プロセスと、出力媒体上で更に鑑賞時に好ましい画質とするための鑑賞画像参照データへの変換プロセスの両面を併せ持っており、第１および第３のステップの橋渡しを行なっている。第３のステップは、出力媒体上で鑑賞時に好ましい画質とするための鑑賞画像参照データへの変換プロセスである。
【０１８７】
「露出制御処理」とは、撮像画像データ全体の明るさを補正することである。撮像画像データは、第１のステップにより、撮像装置固有の被写体情報の表し方は補正され共通化されているものの、撮像装置が有するＡＥの性能によるバラツキや撮影者によるマニュアル設定の違いにより露出制御によっても明るさが異なる。
【０１８８】
「グレーバランス調整処理」とは、撮像画像データ全体の色の偏りを補正することである。撮像画像データは、第１のステップにより、撮像装置固有の被写体情報の表し方は補正され共通化されているものの、撮像装置が有するＡＷＢの性能によるバラツキや撮影者によるマニュアル設定の違いにより、グレーバランス制御（例えば、鑑賞光源の色温度補正）によっても色の偏りが異なる。
【０１８９】
前記第２のステップにおけるＡＥ処理とＡＷＢ処理は、ＢＧＲ各色毎に設定された入出力変換テーブル（ルックアップテーブル（以下、「ＬＵＴ」ともいう））により、同時に調整される態様とするのが好ましい。具体的には、ＢＧＲ各色のＬＵＴを個々に平行移動させることによりグレーバランスが調整されると共に平行移動させることにより明るさが調整されるようにする。
【０１９０】
「階調補正処理」とは、ＣＲＴ、液晶ディスプレイ、プラズマディスプレイ等の表示デバイス、および銀塩印画紙、インクジェットペーパー、サーマルプリンタ用紙等のハードコピー画像生成用の原稿等の出力媒体上で、鑑賞時に好ましい階調に調整することである。具体的には、以下に説明する非線型補正処理やγ補正処理等が含まれる。
【０１９１】
請求項２０に記載のように、第３のステップにおける階調補正処理は、非線形補正処理を含むのが好ましく、さらに第３のステップは、γを補正するステップと、非線形補正処理を施すステップの２つより構成され、先にγを補正する構成とするのが好ましい。
【０１９２】
「非線形補正処理」とは、画像のハイライト部とシャドー部を非線形に補正することにより、例えば出力媒体の濃度の再現域が狭いことに起因する画像のハイライト部の白飛びやシャドー部の潰れを抑制することである。第２のステップ（ＡＥ／ＡＷＢ処理）によりプリントの濃度が上がるような場合には、ハイライト側の階調を硬調化させると共にシャドー側の階調を軟調化させ、逆にプリントの濃度が下がるような場合には、ハイライト側の濃度を軟調化させると共にシャドー側の階調を硬調化させるように補正量を求めて補正曲線に反映させるのが好ましい。
【０１９３】
「γを補正する」とは、出力媒体上毎に設定された基準階調曲線に補正することである。ここでは、例えば出力媒体が銀塩印画紙の場合、基準階調曲線はＳ字状の曲線となっており、中間部はγ値が１．６に設定されている。階調を硬調化してプリンタ出力の見栄えを良くすることを目的とするような本発明の処理を「γ補正処理」という。
【０１９４】
次に、請求項２１、２２、２３、２４に記載の画像処理装置、および請求項３４、３５、３６、３７に記載の画像記録装置について補足説明する。
【０１９５】
画像記録装置とは、画像処理装置が、出力媒体上に鑑賞画像を形成する手段を備えたものである。この形成する手段としては、例えばインクジェット、ＣＲＴ、レーザー、サーマル、昇華方式等である。
【０１９６】
「撮像装置の機種毎の機種周波数特性情報を記憶する記憶手段」とは、コンパクトフラッシュ（登録商標）、メモリスティック（登録商標）、スマートメディア（登録商標）、マルチメディアカード（登録商標）、ハードディスク、フロッピー（登録商標）ディスク、磁気記録媒体（ＭＯ）、あるいはＣＤ―Ｒ等何れであっても良い。また、記録媒体に書き込むユニットは、撮影装置と一体であっても、コードを介して有線接続された書き込みユニット、通信やインターネットを介して無線接続された独立ユニットあるいは遠隔地に設置されたユニット等の何れの態様であっても良い。
【０１９７】
「撮像装置の機種を表す情報を入力する場合、下記マニュアル／自動（オート）の２種類の方式に基づく機能を実行するためのプログラムあるいは処理回路が利用可能である。当該２種類の方式に基づく機能のうち一方は、ＣＲＴディスプレイモニタに表示されたＧＵＩ画面に従いオペレータがタッチパネル方式あるいはキーボード入力方式によって、撮像装置の機種名を選択したり、番号、記号、コード等をマニュアル入力する機能であり、もう一方は、撮像画像データ内に記憶された情報のみを用いて自動的に入力される機能である。
【０１９８】
撮像画像データ内に記録された情報を用いる場合には、下記同一ファイル／別ファイルの２種類の方式に基づく機能があり、このうち一方は、撮像画像データ内のヘッダ部に書き込まれるタグ情報として記録されている方式によって、自動的に入力される機能であり、もう一方は、撮像装置の機種を表す情報と対応する撮像画像データとの関連を示すステータス情報ファイルを添付する方式によって、自動的に入力される機能である。
【０１９９】
前記撮像装置の機種を表す情報が、番号、記号、コード等である場合には、機種名との対応表を保有する必要がある。この対応表は、画像処理装置内のメモリに直接記憶されている必要はなく、ネットワークを介して接続された遠隔地のサーバーから読み出される態様であっても良い。
【０２００】
前記撮像装置の機種を表す情報が、撮像画像データ内のヘッダ部に書き込まれるタグ情報として記録されている方式のデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０２０１】
「周波数特性補正手段」とは、撮像画像データの周波数特性を、シーン参照周波数特性に変換する機能を実行する為のプログラムあるいは処理回路である。
【０２０２】
請求項２１、２２、３４、３５に記載の「周波数特性補正手段」とは、記憶手段から撮像装置の機種に対応する機種周波数特性情報を選択し、当該選択した情報を用いて撮像画像データに対し撮像装置の機種周波数特性を補正してシーン参照階調特性に変換する機能を実行する為のプログラムあるいは処理回路である。
【０２０３】
また、機種周波数特性情報は、画像処理装置内のメモリに直接記憶されている必要はなく、ネットワークを介して接続された遠隔地のサーバーから読み出される態様であっても良い。
【０２０４】
さらに請求項２６、３９に記載のように、機種周波数特性情報は、その一部または全部が撮像画像データ内に記録された情報であっても良い。
【０２０５】
撮像画像データ内に記録された情報である場合には、下記同一ファイル／別ファイルの２種類の方式に基づく機能があり、このうち一方は、撮像画像データ内のヘッダ部に書き込まれるタグ情報として記録されている方式によって自動的に入力される機能であり、もう一方は、機種周波数特性情報と対応する撮像画像データとの関連を示すステータス情報ファイルを添付する方式によって自動的に入力される機能である。
【０２０６】
機種周波数特性情報が撮像画像データ内のヘッダ部に書き込まれるタグ情報として記録されている方式のデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０２０７】
請求項２２、３５に記載の「階調特性補正手段」とは、記憶手段から撮像装置の機種に対応する機種階調特性情報を選択し、当該選択した情報を用いて撮像画像データに対し撮像装置の機種階調特性を補正してシーン参照階調特性に変換する機能を実行する為のプログラムあるいは処理回路である。
【０２０８】
また、機種階調特性情報は、画像処理装置内のメモリに直接記憶されている必要はなく、ネットワークを介して接続された遠隔地のサーバーから読み出される態様であっても良い。
【０２０９】
さらに請求項２５、３８に記載の発明のように、機種階調特性情報は、その一部または全部が、撮像画像データ内に記録された情報であっても良い。
【０２１０】
撮像画像データ内に記録された情報である場合には、下記同一ファイル／別ファイルの２種類の方式に基づく機能があり、１つは、撮像画像データ内のヘッダ部に書き込まれるタグ情報として記録されている方式によって、自動的に入力される機能、もう１つは、機種階調特性情報と対応する撮像画像データとの関連を示すステータス情報ファイルを添付する方式によって、自動的に入力される機能である。
機種階調特性情報が撮像画像データ内のヘッダ部に書き込まれるタグ情報として記録されている方式のデータ形式としては、例えばＥｘｉｆファイルの非圧縮ファイルとして採用されているＢａｓｅｌｉｎｅ　Ｔｉｆｆ　Ｒｅｖ．６．０ＲＧＢ　Ｆｕｌｌ　Ｃｏｌｏｒ　ＩｍａｇｅやＪＰＥＧ形式に準拠した圧縮データファイル形式が知られている。
【０２１１】
請求項２３、２４、３６、３７に記載の内容は、鑑賞画像参照データ生成過程で、実際にはシーン参照画像データに変換せず、その代わりに、出力媒体上で鑑賞時に好ましい画質となるような目標周波数が当該出力媒体上で得られるように演算処理を施すことを意味している。
【０２１２】
請求項４７〜６６に記載の発明は、請求項１〜２０に記載の本発明の画像処理方法を実現するためのプログラムを記録した記録媒体であり、コンパクトフラッシュ（登録商標）、メモリスティック（登録商標）、スマートメディア（登録商標）、マルチメディアカード（登録商標）、ハードディスク、フロッピー（登録商標）ディスク、磁気記録媒体（ＭＯ）、あるいはＣＤ―Ｒ等何れであっても良い。また、記録媒体は、撮影装置と一体であっても、コードを介して有線接続された書き込みユニット、通信やインターネットを介して無線接続された独立ユニットあるいは遠隔地に設置されたユニット等の何れの態様であっても良い。
【０２１３】
請求項６７〜８６に記載の発明は、請求項１〜２０に記載の本発明の画像処理方法を実現するためのプログラムであり、請求項４７〜６６に記載の発明の記録媒体中に保存されるものである。
【０２１４】
【発明の実施の形態】
以下、本発明の画像処理装置および画像記録装置の好適な実施の形態を説明する。
【０２１５】
なお、以下に説明する機種階調／周波数特性プロファイル１０３ｃは、請求項に記載の記憶手段が有する機能を実現し、機種階調特性補正処理部１０３ａは、階調特性補正手段とシーン参照階調特性に変換する前処理を行うための前処理条件生成手段が有する機能を実現し、機種色特性補正処理部１０３ｄは、色特性補正手段が有する機能を実現し、機種周波数特性補正処理部１０４は、取得手段、周波数特性補正手段およびシーン参照周波数特性に変換する前処理を行うための前処理条件生成手段が有する機能を実現し、鑑賞画像参照データ生成部１０７は、最適化条件算出手段、出力条件算出手段および画像データ生成手段が有する機能を実現し、制御部２０７は、制御手段が有する機能を実現する。
【０２１６】
〈画像処理装置１１７〉
まず、本発明を適用した画像処理装置１１７の構成を説明する。図３は、本実施の形態における画像処理装置１１７の機能ブロック図である。
【０２１７】
画像処理装置１１７は、撮像画像データを記録メディアから読み出すための入力部１０１と、撮像画像データのヘッダ情報を解析するヘッダ情報解析部１０２とを備える。ここで記録メディアとは、例えば、コンパクトフラッシュ（登録商標）、メモリスティック（登録商標）、スマートメディア（登録商標）、マルチメディアカード（登録商標）、ハードディスク、フロッピー（登録商標）ディスク、磁気記録媒体（ＭＯ（Ｍａｇｎｅｔｏ　Ｏｐｔｉｃａｌ））あるいはＣＤ−Ｒ（Ｃｏｍｐａｃｔ　Ｄｉｓｃ−Ｒｅｗｒｉｔａｂｌｅ）など何れであっても良い。
【０２１８】
画像処理装置１１７は、画像処理部１１６と鑑賞画像参照データ生成条件決定部１１４とを備え、画像処理部１１６および鑑賞画像参照データ生成条件決定部１１４にはヘッダ情報解析部１０２がそれぞれ接続され、鑑賞画像参照データ生成条件決定部１１４には記憶デバイス１１０、出力デバイス１１１、表示デバイス１１２がそれぞれ接続可能である。
【０２１９】
画像処理装置１１７は、制御部２０７を備え、メモリ７０あるいはメモリ７１に記録されたプログラムを実行する。画像処理装置１１７は、特にメモリ７０あるいはメモリ７１に格納された図１１〜図１４のフローチャートに示す処理を行うためのプログラムを実行する。
【０２２０】
入力部１０１は、記録メディアに保存された撮像画像データを読み出し、ヘッダ情報解析部１０２は、撮像画像データと、当該撮像画像データに添付された撮像装置の機種を表す情報および撮影情報データとに分ける。
【０２２１】
画像処理部１１６は、機種階調特性補正処理部１０３ａ、機種周波数特性補正処理部１０４、露出制御処理／グレーバランス調整処理部１０５、非線形補正処理部１１３、一時記憶メモリ１１５を備えて構成される。
【０２２２】
機種階調特性補正処理部１０３ａは、ヘッダ情報解析部１０２から入力された撮像装置の機種を表す情報に基づき、機種階調特性プロファイル１０３ｂを参照して機種階調特性補正処理条件を決定する。機種階調特性補正処理部１０３ａは、当該機種階調特性補正処理条件に基づき機種階調特性補正処理を行ってシーン参照画像データを生成する。
なお、撮像装置の機種を表す情報は、ヘッダ情報解析部１０２から入力されたものに限らず、オペレータにより直接入力されたものであっても良い。
【０２２３】
機種周波数特性補正処理部１０４は、当該生成されたシーン参照画像データから機種周波数特性補正処理が施されたシーン参照画像データを生成する。露出制御処理／グレーバランス調整処理部１０５は、当該生成されたシーン参照画像データに露出制御処理／グレーバランス調整処理を施し、非線形補正処理部１１３は当該露出制御処理／グレーバランス調整処理後のシーン参照画像データに非線形補正処理を施す。一時記憶メモリ１１５は、当該非線形処理後のシーン参照画像データ（鑑賞画像参照データ）を一時的に記憶する。
【０２２４】
鑑賞画像参照データ生成条件決定部１１４は、撮影情報データ処理部１０６、鑑賞画像参照データ生成部１０７、一時記憶メモリ１０８、設定入力部１０９を備えて構成される。
【０２２５】
撮影情報データ処理部１０６は、ヘッダ情報解析部１０２から入力された撮影情報データに基づき、鑑賞画像参照データの生成条件を特定する。
【０２２６】
設定入力部１０９から入力されたデジタル画像データを出力する記憶デバイス１１０、出力デバイス１１１、表示デバイス１１２の種類に関する操作情報は、鑑賞画像参照データ生成部１０７に送られる。
【０２２７】
鑑賞画像参照データ生成部１０７は、撮影情報データ処理部１０６で特定された鑑賞画像参照データの生成条件と、鑑賞画像参照データ生成部１０７から入力された記憶デバイス１１０、出力デバイス１１１、表示デバイス１１２の種類に関する操作情報とに基づき、最終的な鑑賞画像参照データの生成条件を決定する。
【０２２８】
画像処理部１１６によって生成されて一時記憶メモリ１１５に記憶された鑑賞画像参照データは、一時記憶メモリ１０８に一時的に保存されて、設定入力部１０９から入力された操作情報に基づき、記憶デバイス１１０、出力デバイス１１１、表示デバイス１１２の何れかに出力される。
【０２２９】
〈画像処理装置１１７ａ〉
以上、本発明の好適な一実施の形態として画像処理装置１１７を説明したが、これに限らず、図４に示す画像処理装置１１７ａに対しても本発明は適用可能である。
【０２３０】
なお、図面簡略化のため、図４に示す画像処理装置１１７ａの各構成要素のうち画像処理装置１１７と同一の構成要素には、画像処理装置１１７と同一の符号を付し、画像処理装置１１７と異なる構成についてのみ詳細に説明する。特に、画像処理装置１１７ａは、画像処理装置１１７の機種階調特性プロファイル１０３ｂに替えて機種階調／周波数特性プロファイル１０３ｃを有する画像処理部１１６ａを備える。
【０２３１】
画像処理装置１１７ａは、制御部２０７を備え、メモリ７０ａあるいはメモリ７１ａに記録されたプログラムを実行する。画像処理装置１１７は、特にメモリ７０ａあるいはメモリ７１ａに格納された図１５〜図１８のフローチャートに示す処理を行うためのプログラムを実行する。
【０２３２】
機種階調特性補正処理部１０３ａは、撮像装置の機種を表す情報に基づき、機種階調／周波数特性プロファイル１０３ｃを参照して、機種階調特性補正処理条件を決定する。
【０２３３】
機種階調特性補正処理部１０３ａは、上記機種階調特性補正処理条件に基づき機種階調特性補正処理を行ってシーン参照画像データを生成する。
【０２３４】
機種周波数特性補正処理部１０４は、上記シーン参照画像データに基づき、機種階調／周波数特性プロファイル１０３ｃを参照して機種周波数特性補正処理条件を決定する。
【０２３５】
機種周波数特性補正処理部１０４は、上記決定された機種周波数特性補正処理条件に基づき、シーン参照画像データに対し機種周波数特性補正処理を施して機種周波数特性補正処理後のシーン参照画像データを生成する。
【０２３６】
露出制御処理／グレーバランス調整処理部１０５は、上記機種周波数特性補正処理後のシーン参照画像データに露出制御処理／グレーバランス調整処理を施し、非線形補正処理部１１３は、当該露出制御処理／グレーバランス調整処理後のシーン参照画像データに非線形補正処理を施す。
【０２３７】
一時記憶メモリ１１５は、非線形補正処理部１１３による非線形補正処理後のシーン参照画像データ（鑑賞画像参照データ）を一時的に記憶する。
【０２３８】
〈画像処理装置１１７ｂ〉
更に、本発明は図５に示す画像処理装置１１７ｂに対しても適用可能である。
【０２３９】
なお、図面簡略化のため、図５に示す画像処理装置１１７ｂの各構成要素のうち画像処理装置１１７、１１７ａと同一の構成要素には、画像処理装置１１７、１１７ａと同一の符号を付し、画像処理装置１１７、１１７ａと異なる構成についてのみ詳細に説明する。
【０２４０】
画像処理装置１１７ｂは、制御部２０７を備え、メモリ７０ｂあるいは記録媒体７１ｂに記録されたプログラムを実行する。画像処理装置１１７ｂは、特にメモリ７０ｂあるいは記録媒体７１ｂに格納された図１９、図２０のフローチャートに示す処理を行うためのプログラムを実行する。
【０２４１】
機種階調特性補正処理部１０３ａは、撮像装置の機種を表す情報に基づき、機種階調／色／周波数特性プロファイル１０３ｅを参照して、機種階調特性補正処理条件を決定する。
【０２４２】
機種色特性補正処理部１０３ｄは、撮像装置の機種を表す情報に基づき、機種階調／色／周波数特性プロファイル１０３ｅを参照して、機種色特性補正処理条件を決定する。
【０２４３】
機種階調特性補正処理部１０３ａは、上記機種階調特性補正処理条件に基づき機種階調特性補正処理を行ってシーン参照画像データを生成する。
この処理と平行して、機種色特性補正処理部１０３ｄは、上記機種色特性補正処理条件に基づき機種色特性補正処理を行ってシーン参照画像データを生成する。
【０２４４】
機種周波数特性補正処理部１０４は、上記生成されたシーン参照画像データに基づき、機種階調／周波数特性プロファイル１０３ｃを参照して機種周波数特性補正処理条件を決定する。
【０２４５】
機種周波数特性補正処理部１０４は、上記決定された機種周波数特性補正処理条件に基づき、機種階調特性補正処理部１０３ａおよび機種色特性補正処理部１０３ｄから送信されたシーン参照画像データに対し機種周波数特性補正処理を施して機種周波数特性補正処理後のシーン参照画像データを生成する。
【０２４６】
露出制御処理／グレーバランス調整処理部１０５は、上記機種周波数特性補正処理後のシーン参照画像データに露出制御処理／グレーバランス調整処理を施し、非線形補正処理部１１３は、当該露出制御処理／グレーバランス調整処理後のシーン参照画像データに非線形補正処理を施す。
【０２４７】
一時記憶メモリ１１５は、非線形補正処理部１１３による非線形補正処理後のシーン参照画像データ（鑑賞画像参照データ）を一時的に記憶する。
【０２４８】
〈画像記録装置２０１〉
次に本発明を適用した画像記録装置２０１の構成を説明する。図６は画像記録装置２０１の外観を示す斜視図であり、図７は画像記録装置２０１の機能ブロック図である。
【０２４９】
画像記録装置２０１は、本体２０２の左側面にマガジン装填部２０３を備え、本体２０２の内部には出力メディアとしての銀塩印画紙に露光する露光処理部２０４と、露光された銀塩印画紙を現像処理してプリントを作成するプリント作成部２０５とが設けられている。作成されたプリントは本体２０２の右側面に設けられたトレー２０６に排出される。
【０２５０】
本体２０２の内部には、露光処理部２０４の上方位置に制御部２０７（図７参照）が設けられている。また、本体２０２の上部にはＣＲＴ２０８が配置されている。ＣＲＴ２０８はプリントを作成しようとする画像を画面に表示する表示機能を有する。
【０２５１】
ＣＲＴ２０８の左側に透過原稿読込装置としてのフィルムスキャナ部２０９が配置され、右側に反射原稿入力装置２１０が配置されている。フィルムスキャナ部２０９や反射原稿入力装置２１０から読み込まれる原稿として写真感光材料がある。
【０２５２】
この写真感光材料としては、カラーネガフィルム、カラーリバーサルフィルム、白黒ネガフィルム、白黒リバーサルフィルム等が挙げられ、アナログカメラにより撮像した駒画像情報が記録される。
【０２５３】
フィルムスキャナ部２０９のフィルムスキャナは、原稿からデジタル画像データを取り込んで駒画像データに変換可能となっている。また写真感光材料が銀塩印画紙であるカラーペーパーの場合、反射原稿入力装置２１０のフラットベットスキャナで駒画像データに変換可能となっている。
【０２５４】
本体２０２の制御部２０７の位置には画像読込部２１４が設けられている。画像読込部２１４にはＰＣカード用アダプタ２１４ａ、フロッピー（Ｒ）ディスク用アダプタ２１４ｂが設けられ、ＰＣカード２１３ａやフロッピー（Ｒ）ディスク２１３ｂが装着可能になっている。
【０２５５】
ＰＣカード２１３ａは、デジタルカメラで撮像された複数の駒画像データが記憶されたメモリを有する。フロッピー（Ｒ）ディスク２１３ｂは、例えばデジタルカメラで撮像された複数の駒画像データを記憶する。ＣＲＴ２０８の手前には操作部２１１が配置され、この操作部２１１に情報入力手段２１２が設けられ、情報入力手段２１２は例えばタッチパネル等で構成される。
【０２５６】
他の記録媒体としては、マルチメディアカード（登録商標）、メモリステック（登録商標）、ＭＤ、ＣＤ−Ｒ等が挙げられる。
【０２５７】
なお、操作部２１１、ＣＲＴ２０８、フィルムスキャナ部２０９、反射原稿入力装置２１０、画像読込部２１４は、本体２０２に一体的に設けられた構成となっているが、いずれか１つ以上を別体として設けるような構成であっても良い。
【０２５８】
本体２０２における制御部２０７の位置には画像書込部２１５が設けられている。画像書込部２１５にはＦＤ用アダプタ２１５ａ、ＭＯ用アダプタ２１５ｂ、光ディスク用アダプタ２１５ｃが設けられている。各アダプタに装着されたＦＤ２１６ａ、ＭＯ２１６ｂ、光ディスク２１６ｃは画像情報が書き込み可能である。
【０２５９】
制御部２０７は、情報入力手段２１２からの指令情報に基づき、フィルムスキャナ部２０９や反射原稿入力装置２１０からの原稿情報を読み込んでその画像データをＣＲＴ２０８に表示する。
【０２６０】
制御部２０７は、画像処理部２７０を有し、画像処理部２７０で画像データを画像処理して出力用画像データを生成し、露光処理部２０４に送る。露光処理部２０４は、感光材料に画像を露光して、この感光材料をプリント作成部２０５に送る。プリント作成部２０５は露光された感光材料を現像処理して乾燥し、プリントＰ１、Ｐ２、Ｐ３を作成する。プリントＰ１はサービスサイズ、ハイビジョンサイズ、パノラマサイズ等であり、プリントＰ２はＡ４サイズ、プリントＰ３は名刺サイズのプリント等である。
【０２６１】
画像読込部２１４は、ＰＣカード２１３ａやフロッピー（Ｒ）ディスク２１３ｂに記録された駒画像データを読み出す。画像読込部２１４は、画像転送手段２３０としてＰＣカード用アダプタ２１４ａ、フロッピー（Ｒ）ディスク用アダプタ２１４ｂ等を備える。画像読込部２１４は、ＰＣカード用アダプタ２１４ａに装着されたＰＣカード２１３ａ、またはフロッピー（Ｒ）ディスク用アダプタ２１４ｂに装着されたフロッピー（Ｒ）ディスク２１３ｂから駒画像データを読み取って制御部２０７へ転送する。ＰＣカード用アダプタ２１４ａとしては、例えばＰＣカードリーダやＰＣカードスロット等が用いられる。
【０２６２】
画像書込部２１５は、画像搬送部２３１としてＦＤ用アダプタ１５ａ、ＭＯ用アダプタ２１５ｂ、光ディスク用アダプタ２１５ｃを備え、ＦＤ２１６ａ、ＭＯ２１６ｂ、光ディスク２１６ｃがデータの書き込み／読み出し可能に装着できる。
【０２６３】
データ蓄積手段２７１は、画像情報と当該情報に対応する注文情報（どの駒の画像から何枚プリントを作成するかの情報、プリントサイズの情報等）とを記憶し順次蓄積する。フィルムスキャナ部２０９は現像済のネガフィルムＮの駒画像データを入力し、反射原稿入力装置２１０は駒画像をカラーペーパーに焼き付けて現像処理したプリントＰの駒画像データを入力する。
【０２６４】
テンプレート記憶手段２７２は、サンプル識別情報Ｄ１〜Ｄ３に対応してサンプル画像データである背景画像、イラスト画像等との合成領域を設定する少なくとも１個のテンプレートのデータを予め記憶する。駒画像は指定されたテンプレートと合成され、指定されたサンプル識別情報Ｄ１〜Ｄ３に基づくサンプル画像データと、注文に基づく画像データおよび／または文字データとが合成され、指定されたサンプルに基づくプリントが作成される。このテンプレートを用いた画像の合成処理は周知のクロマキー法によって行なわれる。
【０２６５】
また、画像記録装置２０１は、プリントのサンプルを指定するサンプル識別情報Ｄ１、Ｄ２、Ｄ３が操作部２１１から入力されるように構成されている。
ここで、サンプル識別情報Ｄ１〜Ｄ３は、プリントのサンプルまたは注文シートに予め記録されているので、ＯＣＲ等の読み取り手段によりこれらサンプル識別情報Ｄ１〜Ｄ３を読み取ることもできる。あるいはオペレータがキーボードからこれらサンプル識別情報Ｄ１〜Ｄ３を直接入力することもできる。
【０２６６】
上記したように画像記録装置２０１は、サンプル識別情報Ｄ１〜Ｄ３に対応してサンプル画像データを予め記録し、入力されたサンプル識別情報Ｄ１〜Ｄ３に基づきサンプル画像データを選択し、この選択されたサンプル画像データと、注文に基づく画像データおよび／または文字データとを合成し、指定によるサンプルに基づくプリントを作成するので、種々の実物大のサンプルをユーザが実際に手にしてプリントの注文ができ、幅広いユーザの多様な要求に応じることができる。
【０２６７】
また、画像処理部２７０には、図示しない通信手段が設けられ、施設内の別のコンピュータやインターネット等を介した遠方のコンピュータから、撮像画像を表す画像データとプリント等の作業命令とを受信し、遠隔操作で画像処理を実施したりプリントを作成することも可能である。
【０２６８】
上記画像処理部２７０の図示しない通信手段を用いて本発明の画像処理を施した後の画像データと付帯するオーダー情報とを、施設内の別のコンピュータやインターネット等を介した遠方のコンピュータに対して送付することも可能である。
【０２６９】
このように画像記録装置２０１は、各種記録メディアに記録された画像および画像原稿を分割測光して得られる画像情報を取り込む画像入力手段と、この画像入力手段から取り込まれた入力画像の画像情報を「出力画像の大きさ」と「出力画像における主要被写体の大きさ」という情報から画像鑑賞時に好ましい印象を与えるよう画像処理する画像処理手段と、処理済画像の表示、プリント出力あるいは記録メディアへの書き込み等を行う画像出力手段と、通信回線を介して施設内の別のコンピュータやインターネット等を介して接続された遠方のコンピュータに対して画像データおよび付帯するオーダー情報を送信する手段とを有する。
【０２７０】
〈画像処理部２７０〉
次に画像処理部２７０の構成を説明する。図８は、画像処理部２７０の機能ブロック図である。
【０２７１】
なお、説明簡略化のため、図８に示す画像処理部２７０の各構成部のうち図３に示す画像処理装置１１７と同一の構成部については、同一符号を付して示す。
【０２７２】
画像処理部２７０は、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ書式作成処理部７０９を備えると共に、図３に示す画像処理装置１１７のヘッダ情報解析部１０２、機種階調特性補正処理部１０３ａ、機種周波数特性補正処理部１０４、露出制御処理／グレーバランス調整処理部１０５、撮影情報データ処理部１０６、鑑賞画像参照データ生成部１０７を備えて構成される。
【０２７３】
また、画像処理部２７０は、メモリ７０あるいは記録媒体７１を備え、メモリ７０あるいは記録媒体７１は制御部２０７によって実行される各種プログラムを格納する。メモリ７０あるいはメモリ７１は特に図１１〜図１４のフローチャートに示す処理を行うためのプログラムを格納する。
【０２７４】
フィルムスキャンデータ処理部７０２は、フィルムスキャナ部２０９から入力される画像データに、フィルムスキャナ部固有の校正操作、ネガ原稿の場合のネガポジ反転、ゴミキズ除去、グレーバランス調整、コントラスト調整、粒状ノイズ除去、鮮鋭化強調等の処理を施して画像調整処理部７０１に送る。この際、フィルムサイズ、ネガポジ種別、フィルムに光学的あるいは磁気的に記録された主要被写体に関わる情報、撮影条件に関する情報（例えばＡＰＳの記載情報内容）等も同時に画像調整処理部７０１に送られる。
【０２７５】
反射原稿スキャンデータ処理部７０３は、反射原稿入力装置２１０から入力される画像データを、反射原稿入力装置固有の校正操作、ネガ原稿の場合のネガポジ反転、ゴミキズ除去、グレーバランス調整、コントラスト調整、ノイズ除去、鮮鋭化強調等の処理を施して画像調整処理部７０１に送る。
【０２７６】
画像データ書式解読処理部７０４は、画像転送手段２３０および受信用通信手段２４０から入力される画像データに対し、当該画像データのデータ書式に従い必要に応じて圧縮符号の復元や色データの表現方法の変換等を行ない、画像処理部２７０の演算に適したデータ形式に変換して画像調整処理部７０１に送る。
【０２７７】
出力画像の大きさについての指定は操作部２１１から入力されるが、この他に受信用通信手段２４０へ送られる出力画像の大きさについての指定や、画像転送手段２３０が取得した画像データのヘッダ情報やタグ情報に埋め込まれた出力画像の大きさについての指定があった場合には、画像データ書式解読処理部７０４がこの情報を検出して画像調整処理部７０１へ転送する。
【０２７８】
画像転送手段２３０あるいは受信用通信手段２４０から撮像画像データが入力された際、画像データ書式解読処理部７０４がこの旨を検出すると、ヘッダ情報解析部１０２は、撮像画像データを、当該鑑賞画像参照データとこの鑑賞画像参照データに添付された撮像装置の機種を表す情報および撮影情報データとに分ける。
【０２７９】
機種階調特性補正処理部１０３ａは、ヘッダ情報解析部１０２から入力された撮像装置の機種を表す情報に基づき、機種階調特性プロファイル１０３ｂを参照して、機種階調特性補正処理条件を決定する。機種階調特性補正処理部１０３ａは、当該決定された機種階調特性補正処理条件に従って機種階調特性補正処理を行ってシーン参照画像データを生成する。機種周波数特性補正処理部１０４は、生成されたシーン参照画像データに基づいて、機種周波数特性補正処理を施してシーン参照画像データを生成する。露出制御処理／グレーバランス調整処理部１０５は、当該生成されたシーン参照画像データに露出制御処理／グレーバランス調整処理を施し、非線形補正処理部１１３は、当該露出制御処理／グレーバランス調整処理後のシーン参照画像データに非線形補正処理を施す等して鑑賞画像参照データを生成する。当該生成された鑑賞画像参照データはデータ蓄積手段２７１に一旦格納される
【０２８０】
画像調整処理部７０１は、操作部２１１および制御部２０７から入力された指令に基づき、出力デバイスおよび出力メディアに適合した撮像画像参照データを作成するための画像処理条件を鑑賞画像参照データ生成部１０７へ転送する。ここで、撮像画像参照データ生成部１０７は、ヘッダ情報解析部１０２から送信された撮影情報データおよび画像調整処理部７０１から送信された画像処理条件に基づき、最終の鑑賞画像参照データの生成条件を決定する。
【０２８１】
画像調整処理部７０１は、テンプレート処理が必要な場合にはテンプレート記憶手段２７２から所定のテンプレートを呼び出して画像データと共にテンプレート処理部７０５に転送し、テンプレート処理部７０５からテンプレート処理後の画像データ（テンプレートが合成された画像データ）を再び受け取る。
【０２８２】
画像調整処理部７０１は、操作部２１１または制御部２０７から入力された指令に基づき、フィルムスキャナ部２０９、反射原稿入力装置２１０、画像転送手段２３０、受信用通信手段２４０、テンプレート処理部７０５から受け取った画像データを、鑑賞時に好ましい印象を与えるよう画像処理する。画像調整処理部７０１は、当該画像処理後の出力用デジタル画像データを、ＣＲＴ固有処理部７０６、プリンタ固有処理部Ａ７０７、画像データ書式作成処理部７０９、データ蓄積手段２７１へ送出する。
【０２８３】
ＣＲＴ固有処理部７０６は、画像調整処理部７０１から受け取った画像データに対して、必要に応じて画素数変更やカラーマッチング等の処理を行ない、制御情報等表示が必要な情報と合成した表示用の画像データをＣＲＴ２０８に送出する。
【０２８４】
プリンタ固有処理部Ａ７０７は、必要に応じてプリンタ固有の校正処理、カラーマッチング、画素数変更等を行ない、露光処理部２０４に画像データを送出する。画像記録装置２０１に大判インクジェットプリンタ等の外部プリンタ装置２５１を接続する場合には、接続するプリンタ装置毎にプリンタ固有処理部Ｂ７０８を設け、適正なプリンタ固有の校正処理、カラーマッチング、画素数変更等を行なうようにする。
【０２８５】
画像データ書式作成処理部７０９は、画像調整処理部７０１から受け取った画像データに対して、必要に応じてＪＰＥＧ、ＴＩＦＦ、Ｅｘｉｆ等に代表される各種の汎用画像形式への変換を行ない、画像搬送部２３１や送信用通信手段２４１へ画像データを転送する。
【０２８６】
なお、鑑賞画像参照データ生成部１０７で決定された条件に基づいて生成された鑑賞画像参照データは、上記ＣＲＴ固有処理部７０６、プリンタ固有処理部Ａ７０７、プリンタ固有処理部Ｂ７０８、画像データ書式作成処理部７０９による処理を前提としたものである。特に、画像データ書式作成処理部７０９は、鑑賞画像参照データの書式に基づいてＣＲＴ用、露光出力部用、外部プリンタ用、送信用等に最適化した画像データであることを示すステータスファイルを添付して当該画像データを上記画像搬送部に送信する。
【０２８７】
フィルムスキャンデータ処理部７０２、反射原稿スキャンデータ処理部７０３、画像データ書式解読処理部７０４、画像調整処理７０１、ＣＲＴ固有処理部７０６、プリンタ固有処理部Ａ７０７、プリンタ固有処理部Ｂ７０８、画像データ書式作成処理部７０９という区分は、画像処理部２７０の機能の理解を助けるために設けた区分であり、必ずしも物理的に独立したデバイスとして実現される必要はなく、たとえば単一のＣＰＵにおけるソフトウエア処理の種類の区分として実現されてもよい。
【０２８８】
また、ヘッダ情報解析部１０２、機種階調特性補正処理部１０３ａ、機種階調特性プロファイル１０３ｂ、機種周波数特性補正処理部１０４、露出制御処理／グレーバランス調整処理部１０５、非線形補正処理部１０６、鑑賞画像参照データ生成部１０７という区分は、画像処理部２７０における本発明の機能の理解を助けるために設けた区分であり、必ずしも物理的に独立したデバイスとして実現される必要はなく、たとえば単一のＣＰＵにおけるソフトウエア処理の種類の区分として実現されてもよい。
【０２８９】
〈画像処理部２７０ａ〉
以上、本発明の好適な一実施の形態として画像処理部２７０を説明したが、これに限らず、図９に示す画像処理部２７０ａに対しても本発明は適用可能である。
ここで、図９に示す各構成部のうち、図８と同一構成部には、同一の符号を付し、画像処理部２７０と異なる構成についてのみ詳細に説明する。
【０２９０】
画像処理部２７０ａは、メモリ７０ａあるいは記録媒体７１ａを備え、メモリ７０ａあるいは記録媒体７１ａは制御部２０７によって実行される各種プログラムを格納する。メモリ７０ａあるいはメモリ７１ａは特に図１５〜図１８のフローチャートに示す処理を行うためのプログラムを格納する。
【０２９１】
機種階調特性補正処理部１０３ａは、ヘッダ情報解析部１０２から入力された撮像装置の機種を表す情報に基づき、機種階調／周波数特性プロファイル１０３ｃを参照して機種階調特性補正処理条件を決定する。
【０２９２】
機種階調特性補正処理部１０３ａは、上記機種階調特性補正処理条件に従って機種階調特性補正処理を行いシーン参照画像データを生成する。
【０２９３】
機種周波数特性補正処理部１０４は、上記生成されたシーン参照画像データに基づき、機種階調／周波数特性プロファイル１０３ｃを参照して機種周波数特性補正処理条件を決定する。
【０２９４】
機種周波数特性補正処理部１０４は、上記決定された機種周波数特性補正処理条件に従いシーン参照画像データに機種周波数特性補正処理を施して機種周波数特性補正処理後のシーン参照画像データを生成する。
【０２９５】
露出制御処理／グレーバランス調整処理部１０５は、当該生成されたシーン参照画像データに露出制御処理／グレーバランス調整処理を施し、非線形補正処理部１１３は、当該露出制御処理／グレーバランス調整処理後のシーン参照画像データに非線形補正処理を施す等して鑑賞画像参照データを生成する。当該生成された鑑賞画像参照データはデータ蓄積手段２７１に一旦格納される。
【０２９６】
〈画像処理部２７０ｂ〉
更に、本発明は図１０に示す画像処理部２７０ｂに対しても適用可能である。ここで、図１０に示す各構成部のうち、画像処理部２７０、２７０ａと同一構成部には、同一の符号を付し、画像処理部２７０、２７０ａと異なる構成についてのみ詳細に説明する。
【０２９７】
画像処理部２７０ｂは、メモリ７０ｂあるいは記録媒体７１ｂを備え、メモリ７０ｂあるいは記録媒体７１ｂは制御部２０７によって実行される各種プログラムを格納する。メモリ７０ｂあるいは記録媒体７１ｂは特に図１９、図２０のフローチャートに示す処理を行うためのプログラムを格納する。
【０２９８】
機種階調特性補正処理部１０３ａは、ヘッダ情報解析部１０２から入力された撮像装置の機種を表す情報に基づき、機種階調／色／周波数特性プロファイル１０３ｅを参照して機種階調特性補正処理条件を決定する。
【０２９９】
機種階調特性補正処理部１０３ａは、上記機種階調特性補正処理条件に従って鑑賞画像参照データに対し機種階調特性補正処理を行いシーン参照画像データを生成する。
【０３００】
機種色特性補正処理部１０３ｄは、当該撮像装置の機種を表す情報に基づき、機種階調／色／周波数特性プロファイル１０３ｅを参照して機種色特性補正処理条件を決定する。
【０３０１】
機種色特性補正処理部１０３ｄは、上記決定された機種色特性補正条件に従って鑑賞画像参照データに対し機種色特性補正処理を行いシーン参照画像データを生成する。
【０３０２】
機種周波数特性補正処理部１０４は、上記生成されたシーン参照画像データに基づき、機種階調／色／周波数特性プロファイル１０３ｅを参照して機種周波数特性補正処理条件を決定する。
【０３０３】
機種周波数特性補正処理部１０４は、上記決定された機種周波数特性補正処理条件に従いシーン参照画像データに機種周波数特性補正処理を施して機種周波数特性補正処理後のシーン参照画像データを生成する。
【０３０４】
露出制御処理／グレーバランス調整処理部１０５は、上記生成されたシーン参照画像データに露出制御処理／グレーバランス調整処理を施し、非線形補正処理部１１３は、当該露出制御処理／グレーバランス調整処理後のシーン参照画像データに非線形補正処理を施す等して鑑賞画像参照データを生成する。当該生成された鑑賞画像参照データはデータ蓄積手段２７１に一旦格納される。
【０３０５】
〈画像処理装置１１７の動作〉
次に画像処理装置１１７の動作を説明する。図１１は、画像処理装置１１７によって行われる画像処理を説明するフローチャートである。なお、画像処理部２７０の動作もここで説明する動作と同じであり、説明簡略化のためこれを省略する。
【０３０６】
また、図１１のフローチャートによって説明される処理内容は、制御部２０７が実行するプログラムとしてメモリ７０あるいは記録媒体７１に格納されている。
【０３０７】
撮像画像データが例えば入力部１０１から入力されると（ステップＳ１）、制御部２０７は、機種階調特性補正処理部１０３ａにより、撮像装置の機種を表す情報に基づいて機種階調特性プロファイル１０３ｂの中から該当する機種階調特性プロファイルを特定する（ステップＳ２）。
【０３０８】
ステップＳ２の後、制御部２０７は、機種階調特性補正処理部１０３ａにより、ステップＳ２で特定した機種階調特性プロファイルに基づいて撮像画像データに機種階調特性補正処理を施す（ステップＳ３）。
【０３０９】
ステップＳ３の後、制御部２０７は、機種周波数特性補正処理部１０４により、撮像画像データに入力画素数に応じた機種周波数特性補正処理を施して（ステップＳ４）シーン参照画像データを生成する。
【０３１０】
ステップＳ４の後、制御部２０７は、露出制御処理／グレーバランス調整処理部１０５により当該シーン参照画像データに露出制御特性補正処理／グレーバランス調整処理を施し（ステップＳ５）、その後非線形補正処理部１１３によりγ補正処理（ステップＳ６）および非線形補正処理をシーン参照画像データに対し順次施して（ステップＳ７）各出力メディアに応じた画質の最適化を図る。
【０３１１】
その後、制御部２０７は、非線形補正処理後のシーン参照画像データを鑑賞画像参照データのデータ形式に変換する（ステップＳ８）。
【０３１２】
なお、撮像装置の機種を表す情報は、オペレータによって直接入力されるものとするが、これに限らず、図１２のフローチャートのステップＳ１ａに示すようにヘッダ情報解析部１０２により取得されるようにしても良い。
【０３１３】
図１２に示すフローチャートは、図１１のステップＳ１の後にステップＳ１ａが新たに設けられたものとなっている。従って、図１２の他のステップについては図１１と同一符号を付して説明を省略する。
【０３１４】
図１２のフローチャートによって説明される処理内容は、制御部２０７が実行するプログラムとしてメモリ７０あるいは記録媒体７１に格納されている。
【０３１５】
なお、この図１２のフローチャートに示す動作は、画像処理部２７０によっても実行可能である。
【０３１６】
また、制御部２０７は、図１３のフローチャートに示すように、図１１のフローチャートからステップＳ２を省略し、更にステップＳ３とステップＳ４の処理順を逆にした態様で画像処理を行うことも可能である。また、制御部２０７は、図１４のフローチャートに示すように、図１１のフローチャートから更にステップＳ３を省略した態様で画像処理を行うことも可能である。なお、図１３および図１４のフローチャートにおいて、撮像画像の機種を表す情報は、オペレータによって直接入力されるとしたが、これに限らず、ヘッダ情報解析部１０２により取得されるようにしても良い。
【０３１７】
図１３、図１４のフローチャートによって説明される処理内容は、制御部２０７が実行するプログラムとしてメモリ７０あるいは記録媒体７１に格納されている。
【０３１８】
〈画像処理装置１１７ａの動作〉
次に画像処理装置１１７ａの動作を説明する。図１５は、画像処理装置１１７ａによる画像処理を説明するフローチャートである。なお、図１５に示すフローチャートは、上記した図１１の各ステップのうち、ステップＳ２をステップＳ２ａに替えたものとなっている。従って、図１５の他のステップについては図１１と同一符号を付して説明を省略する。
【０３１９】
図１５のフローチャートによって説明される処理内容は、制御部２０７が実行するプログラムとしてメモリ７０ａあるいは記録媒体７１ａに格納されている。
【０３２０】
また、この図１５のフローチャートに示す動作は、画像処理部２７０ａによっても実行可能である。
【０３２１】
ステップＳ２ａについて説明する。制御部２０７は、オペレータによりステップＳ１で入力された撮像装置の機種を表す情報に基づき、機種階調特性補正処理部１０３ａにより機種階調／周波数特性プロファイル１０３ｃの中から当該撮像装置の機種に対応する機種階調特性プロファイルおよび機種周波数特性プロファイルを特定する（ステップＳ２ａ）。制御部２０７は、ステップＳ３において、機種階調特性補正処理部１０３ａにより当該機種階調特性プロファイルに基づいて階調特性を補正し、ステップＳ４において、機種周波数特性補正処理部１０４により当該機種周波数特性プロファイルに基づいて周波数特性を補正する。
【０３２２】
なお、撮像装置の機種を表す情報は、オペレータによって直接入力されるものとするが、これに限らず、後述する図１６のフローチャートのステップＳ１ａに示すようにヘッダ情報解析部１０２により取得されるようにしても良い。
【０３２３】
図１６に示すフローチャートは、図１５のステップＳ１の後に図１２のステップＳ１ａが更に設けられたものとなっている。
【０３２４】
図１６のフローチャートによって説明される処理内容は、制御部２０７が実行するプログラムとしてメモリ７０ａあるいは記録媒体７１ａに格納されている。
【０３２５】
なお、この図１６のフローチャートに示す動作は、画像処理部２７０ａによっても実行可能である。
【０３２６】
また、制御部２０７は、図１７のフローチャートに示すように、図１５のステップＳ２ａに替えて、撮像装置の機種を表す情報に基づき機種周波数特性プロファイル（図示略）の中から該当する機種周波数特性プロファイルを特定する処理を行うステップＳ２ｂを設けると共に、図１５のステップＳ３、Ｓ４の処理順序を逆にした態様で画像処理を行うことも可能である。また、制御部２０７は、図１８のフローチャートに示すように、図１７のフローチャートからステップＳ３を省略した態様で画像処理を行うことも可能である。なお、図１７および図１８のフローチャートにおいて、撮像画像の機種を表す情報は、オペレータによって直接入力されるとしたが、これに限らず、ヘッダ情報解析部１０２により取得されるようにしても良い。
【０３２７】
図１７、図１８のフローチャートによって説明される処理内容は、制御部２０７が実行するプログラムとしてメモリ７０ａあるいは記録媒体７１ａに格納されている。
【０３２８】
〈画像処理装置１１７ｂの動作〉
次に画像処理装置１１７ｂの動作を説明する。図１９は、画像処理装置１１７ｂによる画像処理を説明するフローチャートである。なお、図１９に示すフローチャートは、上記した図１１の各ステップのうち、ステップＳ２をステップＳ２ｃに替え、ステップＳ１の後段には上記説明したステップＳ１ａを設け、ステップＳ３の前段にはステップＳ２ｄを設けたものとなっている。従って、図１９の他のステップについては図１１と同一符号を付して説明を省略する。
【０３２９】
図１９のフローチャートによって説明される処理内容は、制御部２０７が実行するプログラムとしてメモリ７０ｂあるいは記録媒体７１ｂに格納されている。
【０３３０】
また、この図１９のフローチャートに示す動作は、画像処理部２７０ｂによっても実行可能である。
【０３３１】
まず、ステップＳ１ａについて説明する。制御部２０７は、ヘッダ情報解析部１０２により撮像装置の機種を表す情報を撮像画像データのヘッダから取得する（ステップＳ１ａ）。
【０３３２】
次にステップＳ２ｃついて説明する。制御部２０７は、機種階調特性補正処理部１０３ａにより、上記撮像装置の機種情報に基づいて機種階調／色／周波数特性プロファイル１０３ｅのなかから当該撮像装置の機種に応じた機種階調特性プロファイル、機種色特性プロファイルおよび機種周波数特性プロファイルを特定する（ステップＳ２ｃ）。
【０３３３】
次にステップＳ２ｄについて説明する。制御部２０７は、機種色特性補正処理部１０３ｄにより、ステップＳ２ｃで特定された機種色特性プロファイルに基づいて撮像画像データに機種色特性補正処理を施す（ステップＳ２ｄ）。
【０３３４】
なお、画像処理装置１１７ｂ（或いは画像処理部２７０ｂ）は、図２０のフローチャートに示す画像処理を行うことも可能である。図２０のフローチャートによって説明される処理内容は、制御部２０７が実行するプログラムとしてメモリ７０ｂあるいは記録媒体７１ｂに格納されている。
【０３３５】
ステップＳ１、Ｓ１ａの処理によって取得された撮像装置の機種を表す情報に基づき、制御部２０７は、機種階調特性補正処理部１０３ａにより、上記撮像装置の機種情報に基づいて機種階調／色／周波数特性プロファイル１０３ｅのなかから当該撮像装置の機種に応じた機種階調特性プロファイル、機種色特性プロファイルおよび機種周波数特性プロファイルを特定する（ステップＳ２ｃ）。
【０３３６】
その後、制御部２０７は、上記特定された機種階調特性プロファイルに基づいて、機種階調特性補正処理部１０３ａ、機種周波数特性補正処理部１０４および機種色特性補正処理部１０３ｄにより、機種階調特性プロファイル、機種色特性プロファイルおよび機種周波数特性プロファイルの各々に基づいてシーン参照画像データを生成するための条件データを各々算出する（ステップＳ１０）。
【０３３７】
その後、制御部２０７は、鑑賞画像参照データ生成部１０７により露出制御処理／グレーバランス制御処理、γ補正処理、非線形補正処理および鑑賞画像参照データへのデータ形式の変換処理を行うための条件データを算出する（ステップＳ１１）。なお、ステップＳ１０とＳ１１とは、互いに処理順序を逆にしても良いし、また並行して行うようにしても良い。
【０３３８】
ステップＳ１０、Ｓ１１の後、制御部２０７は、鑑賞画像参照データ生成部１０７により、上記条件データに基づいて出力用画像データを生成するため条件データを算出し（ステップＳ１２）、当該算出された条件データに基づいて出力用画像データを生成する（ステップＳ１３）。
【０３３９】
以上説明したように、画像処理装置１１７は、露出制御処理／グレーバランス調整処理、γ補正処理および非線形補正処理等により鑑賞画像参照データを作成する前に、撮像装置毎に周波数特性、更には階調特性や色再現特性の補正を行う。
【０３４０】
従って、周波数特性の設計が異なる撮像装置で撮影された画像データであっても、撮像装置の種類によらず高品位なプリントを作成するための鑑賞画像データが安定して得られる。
【０３４１】
なお上記した本実施の形態における記述は、本発明に係る画像処理方法および当該画像処理方法を実行するプログラムを記録した記録媒体、画像処理装置および画像記録装置の具体例を示すものであり、これに限定されるものではない。本実施の形態の１１７、１１７ａ、１１７ｂおよび画像記録装置２０１の細部構成、詳細動作は、本発明の趣旨を逸脱しない範囲で適宜変更可能である。
【０３４２】
【発明の効果】
本発明によれば、多種類の撮像装置において安定な品質でプリント用画像データ等を作成する画像処理が達成される。
本発明の画像形成方法の特に好ましい態様として、撮像装置の変換特性を補正する第１のステップ、露出制御処理とグレーバランス調整処理とを施す第２のステップ、および階調補正処理を施す第３のステップの少なくとも３つのステップより構成し、第１ステップから第３ステップへと、順番に処理を進行するようにしたことで、より精度向上と効率化が達せられる。
【図面の簡単な説明】
【図１】空間周波数とＭＴＦ値の相関を示すグラフである。
【図２】空間周波数とＭＴＦ値の相関を示すグラフである。
【図３】本発明を適用した画像処理装置の機能ブロック図である。
【図４】本発明を適用した画像処理装置の機能ブロック図である。
【図５】本発明を適用した画像処理装置の機能ブロック図である。
【図６】本発明を適用した画像記録装置の外観を示す斜視図である。
【図７】本発明を適用した画像記録装置の機能ブロック図である。
【図８】図７に示す画像処理部の機能ブロック図である。
【図９】図７に示す画像処理部の機能ブロック図である。
【図１０】図４に示す画像処理部の機能ブロック図である。
【図１１】本発明を適用した画像処理装置による画像処理を説明するフローチャートである。
【図１２】本発明を適用した画像処理装置による画像処理を説明するフローチャートである。
【図１３】本発明を適用した画像処理装置による画像処理を説明するフローチャートである。
【図１４】本発明を適用した画像処理装置による画像処理を説明するフローチャートである。
【図１５】本発明を適用した画像処理装置による画像処理を説明するフローチャートである。
【図１６】本発明を適用した画像処理装置による画像処理を説明するフローチャートである。
【図１７】本発明を適用した画像処理装置による画像処理を説明するフローチャートである。
【図１８】本発明を適用した画像処理装置による画像処理を説明するフローチャートである。
【図１９】本発明を適用した画像処理装置による画像処理を説明するフローチャートである。
【図２０】本発明を適用した画像処理装置による画像処理を説明するフローチャートである。
【符号の説明】
１１７、１１７ａ、１１７ｂ　画像処理装置
１０１　入力部
１０２　ヘッダ情報解析部
１１６、１１６ａ　画像処理部
１０３ａ　機種階調特性補正処理部
１０３ｂ　機種階調特性プロファイル
１０３ｃ　機種階調／周波数特性プロファイル
１０３ｄ　機種色特性補正処理部
１０３ｅ　機種階調／色／周波数特性プロファイル
１０４　機種周波数特性補正処理部
１０５　露出制御処理／グレーバランス調整処理部
１１３　非線形補正処理部
１１５　一時記憶メモリ
１１４　鑑賞画像参照データ生成条件決定部
１０６　撮影情報データ処理部
１０７　鑑賞画像参照データ生成部
１０８　一時記憶メモリ
１０９　設定入力部
１１０　記憶デバイス
１１１　出力デバイス
１１２　表示デバイス
２０１　画像記録装置
２０２　本体
２０３　マガジン装填部
２０４　露光処理部
２０５　プリント作成部
２０６　トレー
２０７　制御部
２０８　ＣＲＴ
２０９　フィルムスキャナ部
２１０　反射原稿入力装置
２１１　操作部
２１２　情報入力手段
２１４　画像読込部
２１４ａ　ＰＣカード用アダプタ
２１４ｂ　ＦＤ用アダプタ
２１５　画像書込部
２１５ａ　ＦＤ用アダプタ
２１５ｂ　ＭＯ用アダプタ
２１５ｃ　光ディスク用アダプタ
２３０　画像転送手段
２３１　画像搬送部
２４０　受信用通信手段
２４１　送信用通信手段
２５１　外部プリンタ
２７０、２７０ａ　画像処理部
２７１　データ蓄積手段
２７２　テンプレート記憶手段
７０１　画像調整処理部
７０、７０ａ、７０ｂ　メモリ
７１、７１ａ、７１ｂ　記録媒体
７０２フィルムスキャンデータ処理部
７０３　反射原稿スキャンデータ処理部
７０４　画像データ書式解読処理部
７０５　テンプレート処理部
７０６　ＣＲＴ固有処理部
７０７　プリンタ固有処理部Ａ
７０８　プリンタ固有処理部Ｂ
７０９　画像データ書式作成処理部
【図１】
2004096505.tif 000005
【図２】
2004096505.tif 000006
【図３】
2004096505.tif 000007
【図４】
2004096505.tif 000008
【図５】
2004096505.tif 000009
【図６】
2004096505.tif 000010
【図７】
2004096505.tif 000011
【図８】
2004096505.tif 000012
【図９】
2004096505.tif 000013
【図１０】
2004096505.tif 000014
【図１１】
2004096505.tif 000015
【図１２】
2004096505.tif 000016
【図１３】
2004096505.tif 000017
【図１４】
2004096505.tif 000018
【図１５】
2004096505.tif 000019
【図１６】
2004096505.tif 000020
【図１７】
2004096505.tif 000021
【図１８】
2004096505.tif 000022
【図１９】
2004096505.tif 000023
【図２０】
2004096505.tif 000024